(57)【要約】【課題】異常発生や不正行為を防止し得るようにする。【解決手段】入球処理装置４８は、第１始動入賞口４５ａおよび第２始動入賞口４６ａへの遊技球の入球を契機として開放する可変入球口４８ａに連通した球導入路Ｒ１と、球導入路Ｒ１に連通する第１分岐路Ｒ２と、球導入路Ｒ１に連通し、第１分岐路Ｒ２と異なる方向へ延在する第２分岐路Ｒ３とを備える。入球処理装置４８は、球導入路Ｒ１を通過する遊技球を検知する導入検知センサ１０７と、第１分岐路Ｒ２を通過する遊技球を検知する第１分岐検知センサ１４６と、第２分岐路Ｒ３を通過する遊技球を検知する第２分岐検知センサ１９０と、可変入球口４８ａを開閉する開閉部材を動作させる第１作動機構１０６と、球導入路Ｒに導入された遊技球を第１分岐路Ｒ２または第２分岐路Ｒ３へ振分ける規制部材１４４を動作させる第２作動機構とを備える。【選択図】図１５
2015047312.tif 000002
【特許請求の範囲】
【請求項１】
遊技盤の遊技領域に配設され、特定の入球口への遊技球の入球を契機として開閉する開閉部材を備えた可変入球口を有する入球処理手段が配設された遊技機において、
前記入球処理手段は、
前記可変入球口に連通した球導入路と、
前記球導入路に連通し、該球導入路から横方向へ屈曲した第１分岐路と、
前記球導入路に連通し、該球導入路から下方へ延在する第２分岐路と、
前記特定の入球口への遊技球の入球を契機として制御手段により作動制御され、可変入球口を閉成した規制状態から該可変入球口を開放した導入状態に前記開閉部材を姿勢変位させる第１作動手段と、
前記球導入路に導入された遊技球を前記第１分岐路へ通出させる第１状態、および該遊技球を前記第２分岐路へ通出するのを許容する第２状態に姿勢変位する規制部材と、
前記制御手段により作動制御され、前記規制部材を前記第１状態および第２状態に姿勢変位させる第２作動手段と、
前記第１分岐路を通過する遊技球を検知する第１分岐検知手段と、
前記第２分岐路を通過する遊技球を検知する第２分岐検知手段と、
前記第１分岐検知手段が遊技球を検知した場合に、前記第２分岐検知手段が遊技球を検知した場合と比べて遊技者に有利な特典を付与することを決定する特典付与手段とを備えた
ことを特徴とする遊技機。
【請求項２】
前記第１作動手段の非作動時において、前記第１分岐検知手段および第２分岐検知手段の何れかが検知信号を出力した場合に、異常発生と判断する異常判定手段とを備えた請求項１記載の遊技機。
【請求項３】
前記入球処理手段または該入球処理手段の近傍に配設された振動検知手段と、
前記制御手段による前記第１作動手段の作動時に前記振動検知手段が振動を検知した場合に、異常発生と判断する異常判定手段とを備えた請求項１または２記載の遊技機。
【請求項４】
前記球導入路を通過する遊技球を検知する導入検知手段と、
前記導入検知手段が遊技球を検知してから、予め設定された判定時間内に前記第１分岐検知手段が遊技球を検知しない場合、および該判定時間内に前記第２分岐検知手段が遊技球を検知しない場合に、異常発生と判断する異常判定手段とを備えた請求項１〜３の何れか一項に記載の遊技機。
【発明の詳細な説明】
【技術分野】
【０００１】
この発明は、特定の入球口への遊技球の入球を契機として開放する可変入球口を有する入球処理手段が配設された遊技機に関するものである。
【背景技術】
【０００２】
代表的な遊技機であるパチンコ機は、遊技店に設けられた設置枠台に固定される枠部材である外枠と、該外枠に対して着脱および開閉可能に枢支され、遊技盤が交換可能に配設される枠部材である中枠と、中枠の前面側に該中枠に着脱および開閉可能に枢支され、中枠に配設した遊技盤を透視保護する透明板が配設される枠部材としての前枠とを備えている。前枠には、透明板が配設される窓口の下方に、遊技球を貯留可能な上球貯留部や下球貯留部が配設されると共に、下球貯留部の右方に、上球貯留部から供給される遊技球を遊技盤に向けて発射させる打球発射装置を作動させる操作ハンドルが設けられている。
【０００３】
前記遊技盤は、その前面に遊技領域が画成されていると共に該遊技領域内には前後に貫通する開口が形成されており、枠状に構成された枠状装飾部材が該開口の開口縁に取り付けられ、該枠状装飾部材の内側には演出領域が画成されている。遊技領域には、案内釘や、図柄表示装置による図柄変動演出の契機となる始動入賞装置および普通入賞口や、大当りの発生時に入賞口を開口して多数の入賞球を発生させる特別入賞装置や、その他の遊技部品等が配設されている。また、演出領域には、遊技盤の後側に配設された図柄表示装置の表示部や可動演出装置等が臨んでおり、該図柄表示装置の表示部での図柄変動演出や可動演出装置の可動体による演出が当該演出領域内で視認可能となっている。
【０００４】
前述のように構成されたパチンコ機は、操作ハンドルの操作により遊技盤の遊技領域へ打ち込まれた遊技球が始動入賞装置に入賞して入球検知手段により検知されると、演出領域に臨む図柄表示装置の表示部での図柄変動演出が開始され、制御手段における大当り抽選に基づいて該表示部に図柄が所定の組み合わせで停止することにより遊技者に有利な特別遊技状態(例えば「大当り」)が発生すると、特別入賞装置の入賞口が開放されて多数の賞球を獲得し得るよう構成される。また、図柄表示装置の表示部での図柄変動演出に合わせて、可動演出装置が作動制御されて適宜タイミングで可動体を動作させることにより、視覚的な演出効果の向上を図るようになっている。
【０００５】
また、近年では、前記図柄変動演出において遊技者に有利な特別遊技状態が発生した場合に、特別遊技状態の発生時には当該特別遊技状態の終了後に確変状態を付与するか否かを決定せず、当該特別遊技状態中において所定条件が成立するか否かに基づいて確変状態の付与可否を決定するよう構成したパチンコ機が実施されている(特許文献１)。特許文献１に開示されたパチンコ機は、開閉可能なチャンスアタッカーと、複数の入球口が設けられた回転役物を有する入球装置とを備え、特別遊技状態中において、チャンスアタッカーに入球した遊技球が、入球装置の回転役物における特定の入球口に入球した場合には当該特別遊技状態の終了後に確変状態を付与し、該遊技球が回転役物における別の入球口に入球した場合には当該特別遊技状態の終了後に確変状態が付与されないように構成されている。
【先行技術文献】
【特許文献】
【０００６】
【特許文献１】特開２００８−２３７６４３号公報
【発明の概要】
【発明が解決しようとする課題】
【０００７】
前記パチンコ機によるパチンコ遊技においては、道具や器具を使用した不正行為が行なわれることがある。特許文献１のパチンコ機においては、チャンスアタッカーが不正行為の対象とされる。しかしながら、現状では、不正行為を適切に判定する技術は未だ確立されておらず、不正行為を防止し得る技術が希求されている。
【０００８】
すなわち本発明は、従来の技術に係る遊技機に内在する前記課題に鑑み、これを好適に解決するべく提案されたものであって、異常発生や不正行為を防止し得るよう構成した遊技機を提供することを目的とする。
【課題を解決するための手段】
【０００９】
前記課題を解決し、所期の目的を達成するため、本発明の請求項１に係る発明は、
遊技盤(30)の遊技領域(31)に配設され、特定の入球口(45a,46a)への遊技球の入球を契機として開閉する開閉部材(104)を備えた可変入球口(48a)を有する入球処理手段(48)が配設された遊技機において、
前記入球処理手段(48)は、
前記可変入球口(48a)に連通した球導入路(R1)と、
前記球導入路(R1)に連通し、該球導入路(R1)から横方向へ屈曲した第１分岐路(R2)と、
前記球導入路(R1)に連通し、該球導入路(R1)から下方へ延在する第２分岐路(R2)と、
前記特定の入球口(45a,46a)への遊技球の入球を契機として制御手段(210)により作動制御され、可変入球口(48a)を閉成した規制状態から該可変入球口(48a)を開放した導入状態に前記開閉部材(104)を姿勢変位させる第１作動手段(106)と、
前記球導入路(R1)に導入された遊技球を前記第１分岐路(R2)へ通出させる第１状態、および該遊技球を前記第２分岐路(R2)へ通出するのを許容する第２状態に姿勢変位する規制部材(144)と、
前記制御手段(210)により作動制御され、前記規制部材(144)を前記第１状態および第２状態に姿勢変位させる第２作動手段(145)と、
前記第１分岐路(R2)を通過する遊技球を検知する第１分岐検知手段(146)と、
前記第２分岐路(R2)を通過する遊技球を検知する第２分岐検知手段(190)と、
前記第１分岐検知手段(146)が遊技球を検知した場合に、前記第２分岐検知手段(190)が遊技球を検知した場合と比べて遊技者に有利な特典を付与することを決定する特典付与手段(210)とを備えたことを要旨とする。
【００１０】
請求項１に係る発明によれば、入球処理手段は、第１分岐路が球導入路に対して横方向へ屈曲して延在していると共に第２分岐路が球導入路に対して下方へ延在し、不正を目的として可変入球口を介して球導入路へ挿入した異物が第１分岐路の方向へ挿入され難く構成されているので、第１分岐検知手段が該異物を検知することを防止することができ、不正行為により特別遊技状態が付与されることを防止し得る。また、入球処理手段における可変入球口に入球した遊技球が、第１分岐路に通出されて第１分岐検知手段で検知された場合は、第２分岐路に通出されて第２分岐検知手段で検知された場合に比べて遊技者に有利な特典が付与されるので、可変入球口に入球した遊技球の通出方向に対する遊技者の関心を高めることができ、パチンコ遊技の興趣の向上を図り得る。
【００１１】
請求項２に係る発明では、
前記第１作動手段(106)の非作動時において、前記第１分岐検知手段(146)および第２分岐検知手段(190)の何れかが検知信号を出力した場合に、異常発生と判断する異常判定手段(222)とを備えたことを要旨とする。
請求項２に係る発明によれば、可変入球口が遊技球の入球が不能な規制状態となっているにも拘わらず、第１分岐検知手段および第２分岐検知手段のいずれかが検知信号を出力した場合は、該検知手段が遊技球の検知によらずに検知信号を出力したことになるので、異常判定手段が異常発生と判断することで不正行為を認識し得る。
【００１２】
請求項３に係る発明では、
前記入球処理手段(48)または該入球処理手段(48)の近傍に配設された振動検知手段(200)と、
前記制御手段(210)による前記第１作動手段(106)の作動時に前記振動検知手段(200)が振動を検知した場合に、異常発生と判断する異常判定手段(222)とを備えたことを要旨とする。
請求項３に係る発明によれば、第１作動手段の作動により開閉部材が導入状態に姿勢変位している際に、遊技機を叩いたり揺らして規制部材を第１状態に変位させようとした場合は、振動検知手段がこれを検知して異常判定手段が異常発生と判定するので、遊技機を叩いたり揺らすことによる不正行為を認識し得る。
【００１３】
請求項４に係る発明では、
前記球導入路(R1)を通過する遊技球を検知する導入検知手段(107)と、
前記導入検知手段(107)が遊技球を検知してから、予め設定された判定時間(T)内に前記第１分岐検知手段(146)が遊技球を検知しない場合、および該判定時間(T)内に前記第２分岐検知手段(190)が遊技球を検知しない場合に、異常発生と判断する異常判定手段(222)とを備えたことを要旨とする。
請求項４に係る発明によれば、可変入球口に連通した球導入路を通過する遊技球を検知する導入検知手段と、球導入路に連通する第１分岐路を通過する遊技球を検知する第１分岐検知手段および該球導入路に連通する第２分岐路を通過する遊技球を検知する第２分岐検知手段とを備えるので、予め設定された判定時間内に導入検知手段および第１分岐検知手段の両方が遊技球を検知しない場合や、該判定時間内に導入検知手段および第２分岐検知手段の両方が遊技球を検知しない場合には、異常判定手段により異常発生または不正行為を認識することが可能である。
【発明の効果】
【００１４】
本発明に係る遊技機によれば、異常発生や不正行為を防止することができる。
【図面の簡単な説明】
【００１５】
【図１】実施例に係るパチンコ機の正面図である。
【図２】実施例に係るパチンコ機に配設される遊技盤の正面図である。
【図３】遊技盤の右下側の部分正面図である。
【図４】遊技盤および該遊技盤の後側に配設される設置部材を、右前上方から見た分解斜視図である。
【図５】各部材および装置が配設された遊技盤を左後上方から見た背面図である。
【図６】入球処理装置を右前上方から見た斜視図である。
【図７】入球処理装置を左後上方から見た斜視図である。
【図８】入球処理装置の平面図である。
【図９】入球処理装置の左側面図である。
【図１０】規制部材が第２位置となっている入球処理装置を、図９のＸ１−Ｘ１線位置で破断した平断面図である。
【図１１】規制部材が第１位置となっている入球処理装置を、図９のＸ１−Ｘ１線位置で破断した平断面図である。
【図１２】開閉部材が規制位置となっていると共に規制部材が第２位置となっている入球処理装置を、図８のＸ２−Ｘ２線位置で破断したＸ３矢視図である。
【図１３】開閉部材が導入位置となっていると共に規制部材が第１位置となっている入球処理装置を、図８のＸ２−Ｘ２線位置で破断したＸ３矢視図である。
【図１４】入球処理装置が配設された遊技盤を、図８のＸ２−Ｘ２線位置で破断したＸ４矢視図である。
【図１５】入球処理装置が配設された遊技盤を、図８のＸ５−Ｘ５線で破断した断面図である。
【図１６】右前上方から見た入球処理装置の分解斜視図である。
【図１７】左後上方から見た入球処理装置の分解斜視図である。
【図１８】入球処理装置を構成する導入ユニットを、右前上方から見た分解斜視図である。
【図１９】入球処理装置を構成する振分けユニットを、左後上方から見た分解斜視図である。
【図２０】球排出ユニットを、右前上方から見た分解斜視図である。
【図２１】球排出ユニットを、左後上方から見た分解斜視図である。
【図２２】実施例のパチンコ機の構成を示すブロック図である。
【図２３】特図１、特図２に係る大当り遊技の種類と、該大当り遊技における入球処理装置の作動内容を示す説明図である。
【図２４】(ａ)は、開閉動作パターンＰ１における開閉部材と規制部材との動作タイミングを示す説明図であり、(ｂ)は、開閉動作パターンＰ２における開閉部材と規制部材との動作タイミングを示す説明図である。
【図２５】メイン制御基板で実行される第１異常判定実行処理を示すフローチャートである。
【図２６】メイン制御基板で実行される第２異常判定実行処理を示すフローチャートである。
【図２７】変更例に係る開閉動作パターンＰ３における開閉部材と規制部材との動作タイミングを示す説明図である。
【発明を実施するための形態】
【００１６】
次に、本発明に係る遊技機につき、好適な実施例を挙げて、添付図面を参照しながら以下詳細に説明する。なお、遊技機としては、遊技球としてパチンコ球を使用する一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００１７】
(パチンコ機)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤３０を着脱可能に保持する本体枠としての中枠１２が、開閉および着脱可能に組み付けられている。そして、遊技盤３０の裏側に、所定条件の成立(後述する第１始動入賞装置４５の第１始動入賞口(特定の入球口)４５ａまたは第２始動入賞装置４６の第２始動入賞口４６ａ(特定の入球口)(図２参照)へのパチンコ球の入賞を契機として、演出用の図柄を変動表示させて図柄変動演出を行なう図柄表示装置１８が着脱可能に配設されている。また、中枠１２の前面側には、遊技盤３０を透視保護するガラス板や透明な合成樹脂材により形成された保護板１４で前後に開口する窓部を覆うよう構成された装飾枠としての前枠１３が開閉可能に組み付けられると共に、該前枠１３の下方にパチンコ球を貯留する下球貯留部１５が中枠１２に組み付けられる。更に、前枠１３の下部位置に、パチンコ球を貯留する上球貯留部１６が一体的に組み付けられており、前枠１３の開閉に合わせて上球貯留部１６も一体的に開閉するよう構成される。なお、上球貯留部１６は、前枠１３と別体に形成して中枠１２に対して開閉可能に組み付けるようにしてもよい。
【００１８】
前記中枠１２の右下方位置には、該中枠１２に配設された打球発射装置１９(図２２参照)を作動する操作ハンドル１７が設けられており、該操作ハンドル１７の操作により打球発射装置１９が作動することで、上球貯留部１６に貯留されたパチンコ球が所定間隔(例えば、０.６秒間隔)で１球ずつ遊技盤３０に向けて連続的に発射されるようになっている。
【００１９】
前記中枠１２の後側上方には、設置枠台等に設けられた外部球供給設備(図示せず)から供給されるパチンコ球を貯留する球タンク(図示せず)が配設されると共に、後側の上下中央より下方には、上球貯留部１６および下球貯留部１５に連通する球供給路および設置枠台に設けた球回収樋に連通する球排出路が夫々形成されたセット部材(図示せず)が配設されている。また、中枠１２の裏側における左方には、球タンクとセット部材とを連通接続する球通路ユニット(図示せず)が上下に架設され、該球通路ユニットに配設された球払出装置２２(図２２参照)の駆動により球タンクに供給されたパチンコ球を上下の球貯留部１６,１５へ給出するよう構成されている。セット部材には、球払出装置２２を駆動制御する払出制御基板２１６(図２２参照)や、打球発射装置１９を駆動制御する発射制御基板２１３(図２２参照)等が配設されている。払出制御基板２１６は、遊技盤３０の裏側に配設される設置部材６０(図４参照)の後側に取り付けられたメイン制御基板２１０(図２２参照)に電気的に接続されており、該メイン制御基板２１０からの制御信号に基づいて払出制御基板２１６が球払出装置２２を制御する。また発射制御基板２１３も、メイン制御基板２１０に電気的に接続されており、該メイン制御基板２１０からの制御信号に基づいて発射制御基板２１３が打球発射装置１９を制御する。
【００２０】
(遊技盤)
前記遊技盤３０は、図２〜図５に示すように、アクリルやポリカーボネート等の光透過性を有する合成樹脂製板またはベニア等の木製合板を材質とし、中枠１２に設けた遊技盤保持部(図示せず)の内縁形状に整合する外縁形成された略矩形の平板状に形成される。遊技盤３０の前側には、遊技領域３１が設けられると共に、該遊技盤３０の後側には、設置部材６０が配設されている。また、遊技盤３０の前側には、左下部から右上部にかけて円弧状に延在する外レール３２と、この外レール３２の内側に中央下部から左上部にかけて並べて配置された内レール３３と、外レール３２の右上部から内レール３３の下部までの間に右方へ凹む湾曲形状に構成された盤面飾り部材３４等が配設されており、両レール３２,３３および盤面飾り部材３４で囲まれた内側が遊技領域３１として構成されている。これにより、操作ハンドル１７の操作により作動する打球発射装置１９から発射されたパチンコ球は、外レール３２と内レール３３との間を通って遊技領域３１の左上部に打ち込まれた後、該遊技領域３１内を流下する。但し、遊技領域３１は、内レール３３の延在長を大きく設定して、外レール３２および該内レール３３で形成するようにしてもよい。
【００２１】
前記遊技盤３０には、図５に示すように、前後に大きく開口した第１貫通口３５が形成され、該第１貫通口３５の下方に、遊技盤３０の左右中央から左側に亘って円弧状に延在して前後に開口する第２貫通口３６が形成されると共に、該第１貫通口３５の下方右側に、第３貫通口３７および第４貫通口３８が上下の関係で形成されている。第１貫通口３５には、前後に開口した表示窓口４１ａが形成された枠状装飾部材４１が配設されている。枠状装飾部材４１は、図２および図４に示すように、遊技盤３０の前面より前方へ突出した環状の装飾部４１ｂを備え、該装飾部４１ｂにより遊技領域３１と表示窓口４１ａとを区画すると共に、設置部材６０の後側に着脱可能に配設された図柄表示装置１８の表示部１８ａや、該設置部材６０の前側に配設された装飾装置２２８,２２９および各可動演出装置２２５,２２６,２２７等を、表示窓口４１ａに臨ませた状態で配設される。また、枠状装飾部材４１は、左右に延在するステージ４２が表示窓口４１ａの下部に設けられ、遊技領域３１とステージ４２とを連通する球導入路４３が、装飾部４１ｂの左側内部に設けられると共に、装飾部４１ｂの下部中央に、ステージ４２の中央と連通する球送出口４４が設けられている。従って、遊技領域３１から球導入路４３に入ったパチンコ球が、ステージ４２上を左右に転動した後に前方へ落下したり、球送出口４４から第１始動入賞装置４５の真上へ落下するようになっている。
【００２２】
前記第２貫通口３６には、図２〜図５に示すように、第１始動入賞口４５ａが設けられた第１始動入賞装置４５と、普通入賞口４９ａが設けられた普通入賞装置４９とが、遊技盤３０の前側から配設されている。第３貫通口３７には、可変入球口４８ａが設けられた入球処理装置(入球処理手段)４８と、該入球処理装置４８にユニット化されて特別入賞口４７ａが設けられた特別入賞装置４７とが、遊技盤３０の前側から配設されている。また、第４貫通口３８には、第２始動入賞口４６ａが設けられた第２始動入賞装置４６が、遊技盤３０の前側から配設されている。そして、遊技領域３１内には、多数の球案内釘５０や、回転案内具５１および球通過ゲート５２が配設されている。なお、遊技領域３１は、第１貫通口３５に配設した枠状装飾部材４１により、該枠状装飾部材４１の左側に位置する第１遊技領域３１ａおよび右側に位置する第２遊技領域３１ｂに分かれている。
【００２３】
前記第１始動入賞装置４５、第２始動入賞装置４６、特別入賞装置４７、入球処理装置４８および普通入賞装置４９には、各々に入賞したパチンコ球を検知する検知センサが個別に備えられている。すなわち、図２２に示すように、第１始動入賞装置４５は第１始動入賞検知センサ５４を備え、第２始動入賞装置４６は第２始動入賞検知センサ５５を備えている。また、特別入賞装置４７は特別入賞検知センサ５６を備え、普通入賞装置４９は普通入賞検知センサ５７を備えている。更に、入球処理装置４８は、後述するように、導入検知センサ(導入検知手段)１０７、第１分岐検知センサ(第１分岐検知手段)１４６および第２分岐検知センサ(第２分岐検知手段)１９０の３個の検知センサを備えている。そして、各検知センサ５４,５５,５６,５７,１０７,１４６,１９０からの球検知信号は、設置部材６０の後側に取り付けられて当該パチンコ機１０を総合的に制御する前記メイン制御基板２１０に送出される。なお、図２０および図２１に示すように、第１始動入賞検知センサ５４、第２始動入賞検知センサ５５、普通入賞検知センサ５７、第２分岐検知センサ１９０は、設置部材６０に配設される球排出ユニット１８０に配設されている。
【００２４】
メイン制御基板２１０は、第１始動入賞検知センサ５４および第２始動入賞検知センサ５５からの検知信号を受けると、大当り抽選を行なうと共に、設置部材６０の後側に取り付けられた統括制御基板２１１(図２２参照)に制御信号を出力して図柄表示装置１８に図柄変動演出を行なわせると共に、中枠１２の後側に配設された払出制御基板２１６(図２２参照)に制御信号を出力して、球払出装置２２に所定数のパチンコ球を賞球として払い出させる。そして、メイン制御基板２１０における大当り抽選の結果として大当りが発生した場合には、図柄表示装置１８の表示部１８ａでの図柄変動演出の後に、該表示部１８ａに所定の図柄組合わせで図柄が停止表示され、特別入賞装置４７の特別入賞口４７ａを開放して多数のパチンコ球の入賞が可能となる。また、メイン制御基板２１０は、特別入賞検知センサ５６および導入検知センサ１０７からの検知信号を受けると、払出制御基板２１６に制御信号を出力して球払出装置２２に所定数のパチンコ球を賞球として払い出させる。更に、メイン制御基板２１０は、普通入賞装置４９の球検知センサからの検知信号を受けると、払出制御基板２１６に制御信号を出力して球払出装置２２に所定数のパチンコ球を賞球として払い出させる。
【００２５】
(図柄表示装置)
実施例の図柄表示装置１８は、図２に示すように、左図柄列２４、中図柄列２５および右図柄列２６の３列の図柄列を表示可能な表示部１８ａを備えている。実施例では、図柄表示装置１８として、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。
【００２６】
(第１始動入賞装置)
第１始動入賞装置４５は、図２〜図４に示すように、第１始動入賞口４５ａが遊技領域３１内で常に上方へ開口する常時開放タイプの入賞口であり、第１遊技領域３１ａおよび第２遊技領域３１ｂを流下したパチンコ球が常時一定の確率で入賞可能に構成されている。そして、第１始動入賞装置４５は、設置部材６０の前側に配設された球排出ユニット１８０の第１球排出路１８５に整合している。従って、第１始動入賞口４５ａに入ったパチンコ球は、遊技盤３０の後側へ通出されて第１球排出路１８５へ案内され、該第１球排出路１８５に配設された第１始動入賞検知センサ５４で検知される。
【００２７】
(第２始動入賞装置)
第２始動入賞装置４６は、図２〜図４に示すように、第２遊技領域３１ｂに横長に開口する第２始動入賞口４６ａを開閉可能な開閉部材４６ｂと、該開閉部材４６ｂを開閉動作させる始動入賞ソレノイド４６ｃ(図２２参照)とを備えており、開閉部材４６ｂは、該始動入賞ソレノイド４６ｃの作動により第２始動入賞口４６ａを閉鎖する閉鎖位置および開放する開放位置に変位するよう構成されている。すなわち、第２始動入賞装置４６は、開閉機構の作動により開閉部材４６ｂが変位することで、第２始動入賞口４６ａに対するパチンコ球の入賞確率を可変し得るよう構成されている。そして、第２始動入賞装置４６は、球排出ユニット１８０の第２球排出路１８６に整合している。従って、第２始動入賞口４６ａに入ったパチンコ球は、遊技盤３０の後側へ通出されて第２球排出路１８６へ案内され、該第２球排出路１８６に配設された第２始動入賞検知センサ５５で検知される。なお、始動入賞ソレノイド４６ｃは、前記球通過ゲート５２をパチンコ球が通過したことを契機として作動されるようになっている。
【００２８】
(特別入賞装置)
特別入賞装置４７は、図２〜図４に示すように、第２遊技領域３１ｂに横長に開口する特別入賞口４７ａを開閉可能な開閉部材４７ｂと、該開閉部材４７ｂを開閉動作させる特別入賞ソレノイド４７ｃ(図２２参照)とを備えており、開閉部材４７ｂは、該特別入賞ソレノイド４７ｃの作動により特別入賞口４７ａを閉鎖する閉鎖位置および開放する開放位置に変位するよう構成されている。すなわち、特別入賞装置４７は、開閉機構の作動により開閉部材４７ｂが変位することで、特別入賞口４７ａに対するパチンコ球の入賞が可能となるよう構成されている。そして、特別入賞装置４７は、球排出ユニット１８０の第３球排出路１８７に整合している。従って、特別入賞口４７ａに入ったパチンコ球は、特別入賞装置４７に配設された特別入賞検知センサ５６で検知され後、遊技盤３０の後側へ通出されて第３球排出路１８７へ案内される。なお、特別入賞装置４７は、第１始動入賞口４５ａへのパチンコ球の入賞および第２始動入賞口４６ａへのパチンコ球の入賞に基づき、メイン制御基板２１０が行なう大当り抽選の結果として所定の大当り(例えば、非確変大当り等)が付与された場合に、開閉部材４７ｂを所定の回数で開放するよう制御される。
【００２９】
(球通過ゲート)
前記球通過ゲート５２には、ゲートセンサ５８(図２２参照)が配設されており、該球通過ゲート５２を通過するパチンコ球をゲートセンサ５８で検知するよう構成されている。球通過ゲート５２は、メイン制御基板２１０(メイン制御ＣＰＵ２１０ａ)に配線接続されており、該球通過ゲート５２からメイン制御基板２１０への球検知信号の入力に伴って普図当り判定(普図当り抽選)が行われるよう構成されている。そして、この普図当り抽選の結果に応じて第２始動入賞装置４６の始動入賞ソレノイド４６ｃが作動制御され、これにより開閉部材４６ｂの開放動作に伴って第２始動入賞口４６ａが開放する。
【００３０】
(設置部材)
前記設置部材６０は、図４に示すように、前方に開放する略矩形の箱状に形成された合成樹脂製の部材であって、前側の開放端を遊技盤３０の後面に突き合わせて該遊技盤３０に取り付けられる。この設置部材６０は、遊技盤３０の後面に対して後方から所要の間隔で対向して該遊技盤３０の後面を構成する設置壁部６１と、この設置壁部６１の周縁から前方へ延出形成された外周壁部６２と、この外周壁部６２の前端から外方に向けて延出した外周前端部６３を備えている。すなわち設置部材６０は、外周壁部６２で囲われて遊技盤３０側に開放する前部開口が矩形状に形成されると共に、外周前端部６３の外周縁が、遊技盤３０の外周縁より一回り小さい形状に形成されている。このような設置部材６０は、外周前端部６３を遊技盤３０の後面にネジ固定することで該遊技盤３０に固定され、遊技盤３０の後面から離間した設置壁部６１の前側に空間を画成するよう構成されている。
【００３１】
図４に示すように、設置部材６０における設置壁部６１には、前後に貫通する略矩形の表示開口６４が形成され、該設置壁部６１は、表示開口６４の上側に位置する上板部６１ａ、該表示開口６４の左側に位置する左板部６１ｂ、該表示開口６４の右側に位置する右板部６１ｃおよび該表示開口６４の下側に位置する下板部６１ｄから構成されている。そして、上板部６１ａの前面に第１可動演出装置２２５が配設され、左板部６１ｂの前面に左装飾装置２２８および第２可動演出装置２２６が配設され、右板部６１ｃの前面に右装飾装置２２９が配設されると共に、下板部６１ｄの前面に第３可動演出装置２２７および球排出ユニット１８０が配設されている。一方、設置部材６０における設置壁部６１の後側には、図柄表示装置１８や、メイン制御基板２１０および各種中継基板が配設されている。
【００３２】
(大当り遊技の種類について)
実施例のパチンコ機１０は、図２３に示すように、メイン制御基板２１０における大当り抽選が肯定の場合に、遊技者に与える価値が異なる複数種類の大当り遊技の中から１つの大当り遊技が決定され、その決定された大当り遊技が付与される。ここで、第１始動入賞装置４５の第１始動入賞口４５ａへのパチンコ球の入賞に基づく大当り抽選の判定結果が肯定判定の場合に、メイン制御基板２１０のメイン制御ＣＰＵ２１０ａは、予め定められた複数種類の大当り図柄(実施例では２種類の大当り図柄(図柄Ａ、図柄Ｂ)の中から１つの大当り図柄を決定するようになっている。実施例では、第１始動入賞装置４５の第１始動入賞口４５ａへのパチンコ球の入賞に基づく大当り抽選の判定結果が肯定判定の場合に、６０％の割合で大当り図柄としての図柄Ａが選択され、４０％の割合で大当り図柄としての図柄Ｂが選択されるよう特図決定用判定値が割り当てられている。一方、第２始動入賞装置４６の第２始動入賞口４６ａへのパチンコ球の入賞に基づく大当り抽選の判定結果が肯定判定の場合に、メイン制御基板２１０のメイン制御ＣＰＵ２１０ａは、予め定められた複数種類の大当り図柄(実施例では２種類の大当り図柄(図柄ａ、図柄ｂ)の中から１つの大当り図柄を決定するようになっている。実施例では、第２始動入賞装置４６の第２始動入賞口４６ａへのパチンコ球の入賞に基づく大当り抽選の判定結果が肯定判定の場合に、８０％の割合で大当り図柄としての図柄ａが選択され、２０％の割合で大当り図柄としての図柄ｂが選択されるよう特図決定用判定値が割り当てられている。なお、前述した大当り図柄の種類および振分け割合は一例であり、これに限られるものではない。
【００３３】
図２３に示すように、図柄Ａに対応した大当り遊技(ここでは「第１の大当り遊技」という)は、最大２５秒のラウンドを１５回実行する遊技が実行されると共に、当該第１の大当り遊技の終了後に、次回の大当りが生起されるまで変短状態が付与される大当り遊技として設定されている。図柄Ｂに対応した大当り遊技(第２の大当り遊技」という)は、最大２５秒のラウンドを１５回実行する遊技が実行されると共に、当該第２の大当り遊技の終了後に、「１００回」の変短状態が付与される大当り遊技として設定されている。また、図柄ａに対応した大当り遊技(ここでは「第３の大当り遊技」という)は、最大２５秒のラウンドを１５回実行する遊技が実行されると共に、当該第３の大当り遊技の終了後に、次回の大当りが生起されるまで変短状態が付与される大当り遊技として設定されている。図柄ｂに対応した大当り遊技(第４の大当り遊技」という)は、最大２５秒のラウンドを１５回実行する遊技が実行されると共に、当該第４の大当り遊技の終了後に、「１００回」の変短状態が付与される大当り遊技として設定されている。
【００３４】
(確変状態の付与について)
そして、実施例では、大当り遊技後の遊技状態として、遊技者に有利な特典である確変状態を付与するか否かを、前記第１〜第４の大当り遊技における特定のラウンドにおいて前記入球処理装置４８における可変入球口４８ａを開放させて、当該特定ラウンド中に該可変入球口４８ａに入ったパチンコ球が第１分岐検知センサ１４６で検知されるか否かにより決定するよう構成されている。すなわち、第１〜第４の大当り遊技における特定のラウンド(実施例では８回目のラウンド)において、入球処理装置４８の第１分岐検知センサ１４６がパチンコ球を検知した場合に、メイン制御基板２１０が確変状態の付与を決定するよう構成されている。また、第１〜第４の大当り遊技における特定のラウンドにおいて、入球処理装置４８の第２分岐検知センサ１９０だけがパチンコ球を検知した場合(第１分岐検知センサ１４６がパチンコ球を検知しない場合)は、メイン制御基板２１０は確変状態の付与を決定しない(非確変状態の付与を決定する)よう構成されている。すなわち、メイン制御基板２１０は、入球処理装置４８の第１分岐検知センサ１４６がパチンコ球を検知した場合に、第２分岐検知センサ１９０がパチンコ球を検知した場合と比べて遊技者に有利な特典を付与することを決定する特典付与手段としての機能を有している。
【００３５】
ここで、実施例では、前記入球処理装置４８における可変入球口４８ａに配設された開閉部材１０４(図６、図１２、図１３参照)の開閉動作パターンおよび規制部材１４４(図１０〜図１３参照)の姿勢変位により、第１分岐検知センサ１４６によるパチンコ球の検知確率を変更して、確変状態の付与確率が変更されるように構成されている。すなわち、図２３に示すように、メイン制御基板２１０のメイン制御ＲＯＭには、開閉部材１０４に係る複数(実施例では２種類)の開閉動作パターンＰ１,Ｐ２が設定された開閉動作パターンテーブルが設けられ、大当り抽選により選択された大当り図柄Ａ,Ｂ,ａ,ｂに対応して特定の開閉動作パターンが選択され、選択された開閉動作パターンに基づいて開閉部材１０４を開閉動作させるようになっている。開閉部材１０４の開閉動作パターンＰ１,Ｐ２の詳細については後述するが、実施例では、図２３に示すように、大当り図柄Ａまたは大当り図柄ａが選択された場合には開閉動作パターンＰ１が選択され、大当り図柄Ｂまたは大当り図柄ｂが選択された場合には開閉動作パターンＰ２が選択されるように設定されている。
【００３６】
第１開閉動作パターンＰ１は、可変入球口４８ａから入ったパチンコ球を第１分岐検知センサ１４６へ高確率で案内するよう設定された開閉動作パターンであり、大当り図柄Ａまたは大当り図柄ａが選択された場合には確変状態が付与される確率が高くなるよう設定されている。第２開閉動作パターンＰ２は、可変入球口４８ａから入ったパチンコ球を第１分岐検知センサ１４６へ低確率(大当り図柄Ａ,ａが選択された場合よりも低い確率)で案内するよう設定された開閉動作パターンであり、大当り図柄Ｂまたは大当り図柄ｂが選択された場合には確変状態が付与される確率は、大当り図柄Ａ,ａが選択された場合より低く設定されている。なお、開閉動作パターンＰ１,Ｐ２については、入球処理装置４８の構成説明後に説明する。
【００３７】
(入球処理装置)
次に、前記第１〜第４の大当り遊技における特定のラウンド(実施例では８回目のラウンド)において作動させる前記入球処理装置４８の構成について、図面を引用して説明する。実施例の入球処理装置４８は、前記第１始動入賞装置４５の第１始動入賞口(特定の入球口)４５ａおよび第２始動入賞装置４６の第２始動入賞口(特定の入球口)４６ａへのパチンコ球の入球を契機として、前述したようにメイン制御基板２１０における大当り抽選の結果として大当りが発生した場合に、当該大当り遊技中における所定のタイミングで可変入球口４８ａを開閉する開閉部材１０４を備えている。この入球処理装置４８は、図８〜図１５に示すように、可変入球口４８ａに連通した球導入路Ｒ１と、球導入路Ｒ１に連通する第１分岐路Ｒ２と、球導入路Ｒ１に連通し、第１分岐路Ｒ２と異なる方向へ延在する第２分岐路Ｒ３とが設けられている。また、入球処理装置４８は、球導入路Ｒ１を通過するパチンコ球を検知する導入検知センサ(導入検知手段)１０７と、第１分岐路Ｒ２を通過するパチンコ球を検知する第１分岐検知センサ(第１分岐検知手段)１４６と、第２分岐路Ｒ３を通過するパチンコ球を検知する第２分岐検知センサ(第２分岐検知手段)１９０とを備えている(なお、実施例では、第２分岐路Ｒ３および第２分岐検知センサ１９０が、入球処理装置４８に連通する球排出ユニット１８０に設けられている。)。
【００３８】
更に、入球処理装置４８は、メイン制御基板(制御手段)２１０により作動制御され、可変入球口４８ａを閉成して球導入路Ｒ１へのパチンコ球の導入を規制する規制位置(規制状態、図１２、図１４)から、該可変入球口４８ａを開放して球導入路Ｒ１へのパチンコ球の導入を許容する導入位置(導入状態、図６、図８、図１３)に開閉部材１０４を姿勢変位させる第１作動機構(第１作動手段)１０６を備えている。また、入球処理装置４８は、球導入路Ｒ１に導入されたパチンコ球を第１分岐路Ｒ２へ通出させる第１位置(第１状態、図１１、図１３、図１４)、および該パチンコ球を第２分岐路Ｒ３へ通出するのを許容する第２位置(第２状態、図１０、図１２)に姿勢変位する規制部材１４４を備えると共に、メイン制御基板２１０により作動制御され、規制部材１４４を第１位置および第２位置に姿勢変位させる第２作動機構(第２作動手段)１４５を備えている。
【００３９】
前記入球処理装置４８は、図６、図７、図１６および図１７に示すように、遊技盤３０の盤面に固定される主ベース部材７０と、該主ベース部材７０の前側に取り付けられるフロント部材８０と、主ベース部材７０の後側に配設される照明ユニット９０と、照明ユニット９０の後側において主ベース部材７０の後部上側に取り付けられる球導入ユニット１００と、照明ユニット９０の後側でかつ球導入ユニット１００の下側において主ベース部材７０の後部に取り付けられた球振分けユニット１４０とを備えている。そして、入球処理装置４８は、遊技盤３０への取り付け前に各構成部材および部品を予め組み付けてユニット化され、主ベース部材７０を遊技盤３０にネジにより固定することで該遊技盤３０に取り付けられる。なお、実施例では、前述したように、入球処理装置４８の下側に特別入賞装置４７が連結され、入球処理装置４８と特別入賞装置４７とが単一のユニットとして取り扱われるよう構成されている。
【００４０】
(主ベース部材)
前記主ベース部材７０は、透光性を有する透明樹脂から形成されている。主ベース部材７０は、図１６および図１７に示すように、平板状に形成されたベース板７１と、ベース板７１の後面から後方へ突出した複数の取付リブ７２と、主ベース部材７０の後面から後方へ延出した複数の取付ボス７３と、ベース板７１の後面から後方へ突出した通路壁７４とを備えている。また、ベース板７１の上縁近傍には、前後に開口する前記可変入球口４８ａが開設されていると共に、該主ベース部材７０の上縁右部には、フロント部材８０に設けられた普通入賞口８３に整合して後方へ延出する球通出樋７５が形成されている。
【００４１】
ベース板７１は、右縁が略上下方向へ延在し、上縁が全体として左下がりに延在すると共に下縁が全体として左右方向へ延在し、上下幅が右縁部において最大となる横長の形状をなしている。そして、ベース板７１の前面は、複雑な凹凸模様が形成され、後側に配設された照明ユニット９０から照射される光が透過する際に乱反射して、当該ベース板７１の全体が明輝し得るよう構成されている。また、ベース板７１の外縁近傍には、主ベース部材７０を遊技盤３０に固定するネジが挿通されるネジ挿通孔７６が複数形成されている。前記可変入球口４８ａは、上下開口幅および左右開口幅がパチンコ球の直径より僅かに大きい矩形状に形成され、１個のパチンコ球の通過が可能(同時に２個のパチンコ球の通過が不可能)なサイズとなっている。
【００４２】
図１７に示すように、主ベース部材７０の後面右部に形成された取付リブ７２における第１取付リブ７２ａは、該主ベース部材７０の上縁右部、右縁および下縁右部に亘って延在しており、該第１取付リブ７２ａの後端に、照明ユニット９０における第１照明ユニット９１の発光基板９３が当接した状態で配設されるようになっている(図１０、図１１参照)。すなわち、第１取付リブ７２ａは、主ベース部材７０の後面から後方へ離間した位置で第１照明ユニット９１の発光基板９３を保持する。また、主ベース部材７０の後面左部に形成された取付リブ７２の第２取付リブ７２ｂは、該主ベース部材７０の上縁における左右略中央から左端に亘って延在しており、該第２取付リブ７２ｂの後端に、照明ユニット９０における第２照明ユニット９２の発光基板９３が当接した状態で配設されるようになっている(図８〜図１１参照)。すなわち、第２取付リブ７２ｂは、主ベース部材７０の後面から後方へ離間した位置において第２照明ユニット９２の発光基板９３を保持する。また、取付ボス７３は、球導入ユニット１００および球振分けユニット１４０を固定するための取付支持部である。
【００４３】
前記通路壁７４は、図１０〜図１４に示すように、第１分岐路Ｒ２における第２球通路部Ｒ２ｂの上壁および下壁を構成すると共に、該第１分岐路Ｒ２における第３球通路部Ｒ２ｃの一部を構成する上壁部７４ａおよび下壁部７４ｂからなる。上壁部７４ａおよび下壁部７４ｂは、パチンコ球の直径より僅かに大きい延出幅でベース板７１の後面から後方へ延出すると共に、パチンコ球の直径より僅かに大きい間隔で上下方向に離間し、左下がりの傾斜して左右方向へ平行に延在している。また、下壁部７４ｂは、右端側が上方へ湾曲していると共に、左端側が上方へ湾曲して上壁部７４ａに連設されている。なお、第１分岐路Ｒ２については、後で説明する。
【００４４】
(フロント部材)
前記フロント部材８０は、透光性を有する透明樹脂から形成されている。フロント部材８０は、図１６および図１７に示すように、主ベース部材７０のベース板７１より一回り小さい形状に形成された前装飾板８１と、前装飾板８１の後面から後方へ突出した球案内壁８２と、前装飾板８１の上縁右部に設けられた普通入賞口８３とを備えている。前装飾板８１は、前記可変入球口４８ａに整合する部分に凹部８１ａが形成されており、該可変入球口４８ａを前方から視認可能とすると共に、該可変入球口４８ａに配設された開閉部材１０４との干渉が回避されるようになっている。また前装飾板８１の前面は、当該パチンコ機１０の遊技内容に合わせた所要の装飾が施され、後側に位置する主ベース部材７０のベース板７１を透視可能な透明部分および透視不能な不透明部分が設けられており、明輝されたベース板７１が該透明部分を介して視認可能となっている。
【００４５】
前記球案内壁８２は、図６〜図１４に示すように、パチンコ球の直径より僅かに大きい延出幅で前装飾板８１の後面から後方へ延出しており、該球案内壁８２の後端が主ベース部材７０のベース板７１の前面に当接するようになっている。従って、フロント部材８０は、主ベース部材７０のベース板７１の前面および前装飾板８１の後面との前後方向の間隔がパチンコ球の直径より僅かに大きい間隔で、該主ベース部材７０に取り付けられる。球案内壁８２は、前装飾板８１の後面右側において環状に延在形成された第１球案内壁８２ａと、該前装飾板８１の後面左側において環状に延在形成された第２球案内壁８２ｂとを有し、第１球案内壁８２ａおよび第２球案内壁８２ｂとの間に、上下方向に延在すると共に左右方向へ蛇行する球通出路８４が画成されている。この球通出路８４は、その上開口が可変入球口４８ａに整合すると共に、下開口が特別入賞装置４７の右上方に位置している。従って、可変入球口４８ａに配設された開閉部材１０４が規制位置にある場合(図１２、図１４)に、球通出路８４へのパチンコ球の通入が可能であり、該球通出路８４に通入したパチンコ球は、特別入賞装置４７の右上方に向けて案内され得るよう構成されている。なお、球案内壁８２の内面には、前後方向へ延在する突条部が多数形成されており、主ベース部材７０のベース板７１を透過した光を乱反射させ得るようになっている。
【００４６】
フロント部材８０に形成された前記普通入賞口８３は、図６および図７に示すように、上方へ開口した半樋状に形成され、上方から受け入れたパチンコ球を、主ベース部材７０に設けられた球通出樋７５へ案内するようになっている。なお、球通出樋７５は、後述する球排出ユニット１８０に設けられた第４球排出路１８８(図５、図２０、図２１参照)に整合しており、普通入賞口８３に入ったパチンコ球は、該球通出樋７５を介して第４球排出路１８８へ案内される。
【００４７】
(照明ユニット)
前記照明ユニット９０は、図１０、図１１、図１６および図１７に示すように、主ベース部材７０の後面右部に配設される第１照明ユニット９１および該主ベース部材７０の後面左部に配設される第２照明ユニット９２とを備えてする。第１照明ユニット９１および第２照明ユニット９２は、表面に複数の発光ＬＥＤ９４を備えた発光基板９３と、該発光基板９３の前側に配設されるレンズ部材９５と、該レンズ部材９５の前側に配設される透光シート９６とを夫々備えている。第１照明ユニット９１のレンズ部材９５および透光シート９６は、主ベース部材７０に形成された第１取付リブ７２の内側部分に収容可能な形状に外形形状に形成され、発光基板９３は、該第１取付リブ７２の後端に当接可能な外形形状に形成されている。従って、第１照明ユニット９１のレンズ部材９５および透光シート９６は、ベース板７１と発光基板９３との間に位置している。また、第２照明ユニット９２のレンズ部材９５および透光シート９６は、主ベース部材７０に形成された第２取付リブ７２の内側部分に収容可能な形状に外形形状に形成され、発光基板９３は、該第２取付リブ７２の後端に当接可能な外形形状に形成されている。従って、第２照明ユニット９２のレンズ部材９５および透光シート９６は、ベース板７１と発光基板９３との間に位置している。各第１、第２照明ユニット９１,９２の各レンズ部材９５は、前面に光拡散処理が施されており、発光基板９３の各発光ＬＥＤ９４から照射された光を拡散させるようになっている。また、第１、第２照明ユニット９１,９２の各透光シート９６は、レンズ部材９５を透過した照射光により全体が均一に明輝するようになっており、主ベース部材７０のベース板７１を均一に明輝させるためのものである。
【００４８】
(球導入ユニット)
前記球導入ユニット１００は、図７、図１２〜図１５、図１６、図１７および図１８に示すように、上ベース部材１０１と、球導入路Ｒ１を画成する上球通路部材１０２と、上ベース部材１０１の上面に取り付けられる上カバー部材１０３と、上ベース部材１０１に回転可能に取り付けられ、規制位置および導入位置に回転する前記開閉部材１０４と、上カバー部材１０３の上部に取り付けられる蓋部材１０５とを備えている。また、球導入ユニット１００は、上ベース部材１０１に取り付けられ、開閉部材１０４を規制位置および導入位置に回転させる第１作動機構１０６と、上ベース部材１０１に取り付けられる導入検知センサ(導入検知手段)１０７とを備える。また、上球通路部材１０２の後部には、上発光基板１０８が配設されている。
【００４９】
(上ベース部材)
上ベース部材１０１は、図１４、図１５および図１８に示すように、球導入路Ｒ１の下壁を構成する通路壁部１１０と、該通路壁部１１０の後側に隣接して設けられた導入検知センサ１０７を設置するための第１検知センサ設置部１１１と、該第１検知センサ設置部１１１の右側に隣接して設けられた第１ソレノイド設置部１１２と、通路壁部１１０の前端両側に設けられて開閉部材１０４を支持する開閉部材支持部１１３,１１３とを備えている。通路壁部１１０は、平坦状に形成されて後方に向けて下方傾斜した状態で形成されている。第１検知センサ設置部１１１は、通路壁部１１０の後端に対して導入検知センサ１０７の高さ寸法分だけ下方へ段差状に形成されている。そして、導入検知センサ１０７は、長手方向を前後方向に合わせ、かつ球検知部１０７ａの球通過方向を上下方向とした横向き姿勢で設置され、該導入検知センサ１０７の上面と通路壁部１１０の上面とが面一になるようになっている。また、第１検知センサ設置部１１１には、導入検知センサ１０７の球検知部１０７ａの開口に整合する球通過口１１１ａが形成されている。また、第１ソレノイド設置部１１２は、第１検知センサ設置部１１１と略同じ高さに形成されており、第１作動機構１０６を構成する第１作動ソレノイド(第１作動手段)１２４を、プランジャ１２４ｂが後方へ延出した姿勢で保持し得る形状に形成されている。
【００５０】
(上球通路部材)
前記上球通路部材１０２は、図１２〜図１５および図１８に示すように、球導入路Ｒ１の上壁および左右の側壁を構成し、下方および前方が開口した逆半樋状に形成されている。球導入路Ｒ１の上壁をなす上壁部１１４は、その後部が、球導入路Ｒ１の左壁をなす左側壁１１５の下端および該球導入路Ｒ１の右壁をなす右側壁１１６の下端に一致する位置まで下方へ湾曲していると共に、該湾曲部分の外面は、細かい凹凸状に形成された光拡散処理が施されている。また、下方へ湾曲した上壁部１１４の後端には、後方へ略水平へ延出した水平延出部１１７が設けられ、該水平延出部１１７の上面には、上発光基板１０８を保持する基板保持部１１８が設けられている。このような上球通路部材１０２は、上ベース部材１０１の上面に固定され、前端が可変入球口４８ａの開口縁に整合すると共に、水平延出部１１７が導入検知センサ１０７の上面に当接するようになる。なお、上壁部１１４の右縁には、第１作動機構１０６における第２連係部材１２６を支持する第１支持凹部１１９が、上方および右方へ開口した状態で形成されている。
【００５１】
(開閉部材)
前記開閉部材１０４は、図６、図８、図１２〜図１４および図１８に示すように、主ベース部材７０に開設された可変入球口４８ａの開口形状に合わせて矩形状に形成された扉部１２０と、該扉部１２０の左右両端下部から左右方向へ延出する支軸１２１と、第１作動機構１０６に連係される連係アーム部１２２とを備えている。支軸１２１は、上ベース部材１０１に下方へ凹んだ形状に形成された開閉部材支持部１１３,１１３に支持されると共に、上球通路部材１０２の左右側壁１１５,１１６の下端が該開閉部材支持部１１３,１１３の上方に位置することで、上ベース部材１０１および上球通路部材１０２により上下から挟持される。これにより開閉部材１０４は、略垂直に起立して扉部１２０が可変入球口４８ａに整合した規制位置(図１２、図１４)および扉部１２０が前方へ略水平に倒伏して可変入球口４８ａを開放した導入位置(図６、図８、図１３)に回転変位して、可変入球口４８ａを開閉するようになっている。
【００５２】
(第１作動機構)
前記第１作動機構１０６は、図１８に示すように、制御手段であるメイン制御基板２１０により励磁・非励磁制御される第１作動ソレノイド１２４と、該第１作動ソレノイド１２４のプランジャ１２４ｂの先端に連結された第１連係部材１２５と、該第１連係部材１２５に連係されると共に、前記開閉部材１０４の連係アーム部１２２に連係される第２連係部材１２６とを備えている。第１作動ソレノイド１２４は、ソレノイド本体１２４ａと、該ソレノイド本体１２４ａから延出したプランジャ１２４ｂと、該プランジャ１２４ｂに装着されたスプリング１２４ｃとを備え、非励磁状態では該スプリング１２４ｃの弾力によりプランジャ１２４ｂがソレノイド本体１２４ａから延出した状態となり、励磁状態ではプランジャ１２４ｂがソレノイド本体１２４ａ内へ移動するようになっている。
【００５３】
第１連係部材１２５は、プランジャ１２４ｂの先端に係止されて前方へ延出する連係部１２５ａと、該連係部１２５ａから左方へ突出した係止突部１２５ｂと、該係止突部１２５ｂの上縁に下方へ凹設された係合凹部１２５ｃとを備えている。また、第２連係部材１２６は、上球通路部材１０２および上カバー部材１０３に枢支される支持軸１２６ａと、該支持軸１２６ａの後方へ延出して第１連係部材１２５の係止突部１２５ａと係合する第１レバー部１２６ｂと、支持軸１２６ａの前下方へ延出して開閉部材１０４の連係アーム部１２２に上方から係合する第２レバー部１２６ｃと、第２レバー部１２６ｃから右方へ突出して第１連係部材１２５の係止凹部１２５ｃに係合する係合ボス１２６ｄとを備えている。すなわち、第２連係部材１２６は、上球通路部材１０２に形成された第１支持凹部１１９および上カバー部材１０３に形成された第２支持凹部１３２(図１８)に支持軸１２６ａが支持されることで、左右方向に延在する軸周りでの回転が可能となっている。
【００５４】
前記第１作動機構１０６は、第１作動ソレノイド１２４の非励磁状態において、係止突部１２５ｂが第１レバー部１２６ａを押し上げると共に、係合ボス１２６ｄが係合凹部１２５ｃに係合していることで、第２レバー部１２６ｃが開閉部材１０４の連係アーム部１２２を押し下げ、これにより開閉部材１０４が規制位置に保持される。また、第１作動ソレノイド１２４を励磁状態としてプランジャ１２４ｂの移動により第１連係部材１２５が前方へ移動すると、第２連係部材１２６が回転して第２レバー部１２６ｃが上方へ移動することで、連係アーム部１２２の上方移動が許容されて開閉部材１０４が規制位置から導入位置へ回転する。なお、開閉部材１０４は、扉部１２０と連係アーム部１２２との重量差により、第２連係部材１２６の回転に伴って規制位置から導入位置へ回転可能となっている。
【００５５】
(上カバー部材)
前記上カバー部材１０３は、図１８に示すように、第１作動ソレノイド１２４のソレノイド本体１２４ａをカバーする第１カバー部１３０と、第１連係部材１２５をカバーする第２カバー部１３１とを備える。そして、上カバー部材１０３は、上ベース部材１０１の上面に固定した際に、第１作動ソレノイド１２４および第１連係部材１２５を覆蓋する。なお、上カバー部材１０３における第１カバー部１３０の上面には、第２連係部材１２６を支持する第２支持凹部１３２が、上方および左方へ開口した状態に形成されている。また、上カバー部材１０３における第２カバー部１３１の左端には、前記上発光基板１０８を支持する基板支持部１３３が設けられている。
【００５６】
(蓋部材)
前記蓋部材１０５は、図７、図８、図１５および図１８に示すように、上カバー部材１０３の第１カバー部１３０の上方および上球通路部材１０２の右壁部１１６の上端を被覆するように配設され、該上球通路部材１０２に設けられた第１支持凹部１１９および第１カバー部１３０に設けられた第２支持凹部１３２の上方に位置して、両支持凹部１１９,１３２に支持された第２連係部材１２６の支持軸１２６ａを保持するようになっている。
【００５７】
(上発光基板)
前記上発光基板１０８は、図７〜図９、図１２〜図１４に示すように、前面に発光ＬＥＤ１３５を備えており、上球通路部材１０２に設けられた基板保持部１１８および上カバー部材１０３に設けられた基板支持部１３３により、発光ＬＥＤ１３５が前側に位置した状態で配設されている。そして、上発光基板１０８は、発光ＬＥＤ１３５の照射光により、上球通路部材１０２の上壁部１１４における湾曲部を後側から照射して明輝させるようになっている。従って、第１作動機構１０６の作動により、上壁部１１４の湾曲部の前方に位置する開閉部材１０４が導入位置となった際に、上発光基板１０８により明輝した該湾曲部が可変入球口４８ａを介して前方から視認され得るよう構成されている(図１３参照)。
【００５８】
前述のように構成された球導入ユニット１００は、図７〜図９、図１２〜図１４、図１６および図１７に示すように、開閉部材１０４が可変入球口４８ａ内に整合した状態で、複数のネジにより主ベース部材７０の後方に固定される。そして、上ベース部材１０１および上球通路部材１０２により画成された球導入路Ｒ１は、可変入球口４８ａから後下がりの傾斜状態で後方へ延在すると共に、水平に配設された導入検知センサ１０７の球検知部１０７ａに向けて下方へ変向するように延在している。従って、開閉部材１０４の導入位置において、可変入球口４８ａから球導入路Ｒ１内へ導入されたパチンコ球は、後方へ移動した後に下方へ変向して導入検知センサ１０７の球検知部１０７ａを通過する際に検知され、該球検知部１０７ａを通過した後に下方へ移動するようになる。
【００５９】
(球振分けユニット)
前記球振分けユニット１４０は、図１０、図１１、図１６、図１７および図１９に示すように、第１分岐路Ｒ２を画成する前球通路部材１４１と、前球通路部材１４１の後側に取り付けられる後球通路部材１４２と、後球通路部材１４２の後側に取り付けられる後カバー部材１４３とを備えている。そして、後球振分けユニット１４０は、後球通路部材１４２に回転可能に取り付けられ、第１位置および第２位置に回転する前記規制部材１４４と、後球通路部材１４２に取り付けられ、規制部材１４４を第１位置および第２位置に回転させる第２作動機構１４５と、前球通路部材１４１に取り付けられる第１分岐検知センサ１４６とを備える。
【００６０】
(第１分岐路)
前記第１分岐路Ｒ２は、図１０〜図１４に示すように、前記球通路壁７４が設けられた主ベース部材７０、前球通路部材１４１および後球通路部材１４２を前後に組み付けることで画成される。すなわち、第１分岐路Ｒ２は、球導入路Ｒ１の下方において前下がりに延在する第１球通路部Ｒ２ａと、該第１球通路部Ｒ２ａの前部に連通し、左下がりに延在する第２球通路部Ｒ２ｂと、該第２球通路部Ｒ２ｂの左部後側に連通し、該第２球通路部Ｒ２ｂの後下方において右下がりに延在する第３球通路部Ｒ２ｃとから構成されている。ここで、第１球通路部Ｒ２ａは、前球通路部材１４１に形成された第１壁部１４７により形成される。また、第２球通路部Ｒ２ｂは、ベース板７１の後面に形成された球通路壁７４と、前球通路部材１４１の壁板部１４８とにより形成される。更に、第３球通路部Ｒ２ｃは、前球通路部材１４１の壁板部１４８と、該前球通路部材１４１に形成された第２壁部１４９と、後球通路部材１４２の壁板部１５０とにより形成されている。すなわち、第１分岐路Ｒ２は、平面視において略口字状に屈曲すると共に下方へ傾斜するよう延在している。従って、該第１分岐路Ｒ２へ導入されたパチンコ球は、第１球通路部Ｒ２ａに沿って前方へ移動した後に左方へ変向して第２球通路部Ｒ２ｂに沿って左方へ移動し、更に右方へ変向して第３球通路部Ｒ２ｃに沿って右方へ移動した後に、設置部材６０に配設された球排出ユニット１８０の第５球排出路１８９に向けて下方へ移動するようになっている。なお、第１分岐路Ｒ２の第２球通路部Ｒ２ｂにおける中途部分、すなわちベース板７１に設けた球通出樋７５に、第１分岐検知センサ１４６の前部を支持するセンサ支持部１５１が設けられている。
【００６１】
(前球通路部材)
前記前球通路部材１４１は、図１０〜図１３および図１９に示すように、主ベース部材７０におけるベース板７１の後面に形成された前記球通路壁７４の上壁部７４ａおよび下壁部７４ｂの後端に当接する壁板部１４８と、該壁板部１４８の右部に開口すると共にへ延出して第１分岐路Ｒ２の第１球通路部Ｒ２ａを画成する第１壁部１４７と、該壁板部１４８の左部に開口すると共に後方へ延出して第１分岐路Ｒ２の第３球通路部Ｒ２ｃを画成する第２壁部１４９とを備えている。また、前球通路部材１４１は、前後方向に開口して第１分岐検知センサ１４６を配設する第２検知センサ設置部１５２と、第２検知センサ設置部１５２の右側に形成され、第２位置の規制部材１４４が収容される規制部材収容部１５３とを備えている。このような前球通路部材１４１は、複数のネジにより、主ベース部材７０の後側に固定されるようになっている。
【００６２】
(後球通路部材)
前記後球通路部材１４２は、図１０〜図１３および図１９に示すように、前球通路部材１４１の第１壁部１４７および第２壁部１４９の後端に当接し、第３球通路部Ｒ２ｃの後壁を構成する壁板部１５０と、壁板部１５０の後側に設けられ、第２作動機構１４５における第２ソレノイド設置部１５４と、規制部材１４４を支持する規制部材支持部１５５,１５５とを備えている。第２ソレノイド設置部１５４は、第２作動ソレノイド(第２作動手段)１６５を、プランジャ１６５ｂが右方へ延出した姿勢で保持し得る形状に形成されている。また、第２ソレノイド設置部１５４の右部には、規制部材１４４が前方へ延出可能な開口１５６が形成されている。
【００６３】
(規制部材)
前記規制部材１４４は、図１０および図１１に示すように、球導入路Ｒ１の出口部(導入検知センサ１０７の下部)へ延出する規制部１６０と、規制部材１４４に設けられた支持ボス１６１に挿通されて上下方向へ延出する支点軸１６２と、第２作動機構１４５に連係される連係アーム部１６３とを備えている。支点軸１６２は、後球通路部材１４２における開口１５６の上下に設けられて前方へ凹んだ規制部材支持部１５５,１５５に各々支持されると共に、後カバー部材１４３における上下壁の前端が該規制部材支持部１５５,１５５の後方に位置することで、後球通路部材１４２および後カバー部材１４３により前後から挟持される。これにより規制部材１４４は、支点軸１６２,１６２を中心として上下方向に延在する軸周りに水平方向へ旋回可能に配設され、規制部１６０が球導入路Ｒ１の出口部に延出した第１位置(図１１、図１３、図１４)および規制部１６０が出口部から退避して規制部材収容部１５３内へ移動した第２位置(図１０、図１２)とに変位する。
【００６４】
また、図１３、図１４および図１９に示すように、規制部材１４４における規制部１６０の上面は、該規制部材１４４の長手方向において、該規制部１６０の先端に向けて下方へ傾斜する傾斜面となっている。また、また、規制部材１４４の規制部１６０は、該規制部材１４４の第１位置において、第１分岐路Ｒ２の第１球通路部Ｒ２ａの入口部より上方に位置している(図１３、図１４参照)。従って、第１位置の規制部材１４４は、規制部１６０の上面に落下したパチンコ球を、規制部１６０の先端方向へ転動させ、第１分岐路Ｒ２の第１球通路部Ｒ２ａに向けて移動させ得るようになっている。更に、図１０に示すように、規制部材１４４の右部に切欠き部１６４が形成されており、第１位置において、該規制部材１４４が球導入路Ｒ１の出口部へ突出するのを回避されるようになっている。
【００６５】
(第２作動機構)
前記第２作動機構１４５は、図１６、図１７および図１９に示すように、制御手段であるメイン制御基板２１０により励磁・非励磁制御される第２作動ソレノイド１６５と、該第２作動ソレノイド１６５のプランジャ１６５ｂの先端に連結されると共に、前記規制部材１４４の連係アーム部１６３に連係される第３連係部材１６６とを備えている。第２作動ソレノイド１６５は、ソレノイド本体１６５ａと、該ソレノイド本体１６５から延出したプランジャ１６５ｂと、該プランジャ１６５ｂに装着されたスプリング１６５ｃとを備え、非励磁状態では該スプリング１６５ｃの弾力によりプランジャ１６５ｂがソレノイド本体１６５ａから延出した状態となり、励磁状態ではプランジャ１６５ｂがソレノイド本体１６５ａ内へ移動するようになっている。第３連係部材１６６は、プランジャ１６５ｂの先端に係止される係止部１６６ａと、該係止部１６６ａの上縁から右方へ延出して、規制部材１４４の連係アーム部１６３の上面に突設された係合ボス１６３ａが係合する係合凹部１６６ｃが形成された連係部１６６ｂとを備えている。
【００６６】
前記第２作動機構１４５は、第２作動ソレノイド１６５の非励磁状態において、第３連係部材１６６が右方へ移動することで規制部材１４４が第２位置に保持される。また、第２作動機構１４５が、第２作動ソレノイド１６５を励磁状態としてプランジャ１６５ｂの移動により第３連係部材１６６が左方へ移動すると、規制部材１４４は、支点軸１６２を中心として旋回して第１位置に変位する。従って、図１１、図１３および図１４に示すように、規制部材１４４の第１位置においては、導入検知センサ１０７の球検知部１０７ａを通過して球導入路Ｒ１から通出されたパチンコ球は、該規制部材１４４の規制部１６０により下方への落下が規制され、規制部１６０の傾斜面により該規制部１６０の先端方向(前方)へ移動して第１分岐路Ｒ２の第１球通路部Ｒ２ａへ通入される。また、図１０および図１２に示すように、規制部材１４４の第２姿勢においては、導入検知センサ１０７の球検知部１０７ａを通過して球導入路Ｒ１から通出されたパチンコ球は、規制部１６０により落下が規制されずに下方に設けられた第２分岐路Ｒ３へ通出される。
【００６７】
(後カバー部材)
前記後カバー部材１４３は、図１０、図１１および図１９に示すように、第２作動ソレノイド１６５のソレノイド本体１６５ａをカバーする第１カバー部１６８と、規制部材１４４および第３連係部材１６６をカバーする第２カバー部１６９とを備える。このような後カバー部材１４３は、後球通路部材１４２の後側に固定することで、第２作動機構１４５の第２作動ソレノイド１６５を保持すると共に、第３連係部材１６６を覆蓋する。
【００６８】
(中継基板)
主ベース部材７０の後側左部には、中継基板１７０が配設されている。この中継基板１７０には、第１作動ソレノイド１２４からの配線および第２作動ソレノイド１６５からの配線が各々接続される第１接続コネクタ１７１と、導入検知センサ１０７からの配線および第１分岐検知センサ１４６からの配線が各々接続される第２接続コネクタ１７２と、特別入賞装置４７に配設された特別入賞ソレノイド４７ｃからの配線および特別入賞検知センサ５６からの配線が各々接続される第３接続コネクタ１７３と、メイン制御基板２１０からの配線が接続される第４接続コネクタ１７４とが配設されている。従って、第１作動ソレノイド１２４、第２作動ソレノイド１６５、導入検知センサ１０７、第１分岐検知センサ１４６、特別入賞ソレノイド４７ａおよび特別入賞検知センサ５６は、中継基板１７０を介してメイン制御基板２１０に電気的に接続される。
【００６９】
前述のように構成された球振分けユニット１４０は、図７〜図９、図１４、図１６および図１７に示すように、第１分岐検知センサ１４６が球通路壁７４に設けたセンサ支持部１５１に整合した状態で、複数のネジにより主ベース部材７０の後方に固定される。そして、主ベース部材７０、前球通路部材１４１および後球通路部材１４２により画成された第１分岐路Ｒ２は、前述したように、球導入路Ｒ１の出口部から第１球通路部Ｒ２ａ、第２球通路部Ｒ２ｂおよび第３球通路部Ｒ２ｃにより平面視において略口字状に屈曲して変向しながら下方へ延在している。従って、規制部材１４４の第１位置において、球導入路Ｒ１から通出されたパチンコ球は、規制部材１４４の規制部１６０上を前方へ移動して第１球通路部Ｒ２ａを通過し、第２球通路部Ｒ２ｂを通過する際に第１分岐検知センサ１４６の球検知部１４６ａで検知され、該球検知部１４６ａを通過した後に第３球通路部Ｒ２ｃを通って下方へ移動するようになる。
【００７０】
(球排出ユニット)
設置部材６０の前側右下に配設された球排出ユニット１８０は、図４、図２０および図２１に示すように、第１〜第４通路構成部材１８１,１８２,１８３,１８４を組み付けることで、第１始動入賞装置４５、第２始動入賞装置４６、特別入賞装置４７、入球処理装置４８および該入球処理装置４８に設けられた普通入賞口８３に入賞したパチンコ球を、中枠１２に配設された前記セット部材へ排出するためのものである。すなわち、球排出ユニット１８０は、第１始動入賞装置４５の第１始動入賞口４５に入賞したパチンコ球を排出する第１球排出路１８５と、第２始動入賞装置４６の第２始動入賞口４６に入賞したパチンコ球を排出する第２球排出路１８６と、特別入賞装置４７の特別入賞口４７ａに入賞したパチンコ球を排出する第３球排出路１８７と、普通入賞口８３に入賞したパチンコ球を排出する第４球排出路１８８が形成されている。更に、球排出ユニット１８０には、入球処理装置４８の第１分岐路Ｒ２の出口部に連通する第５球排出路１８９と、該入球処理装置４８の球導入路Ｒ１の出口部に連通する第２分岐路Ｒ３とが設けられている。なお、第１球排出路１８５に第１始動入賞検知センサ５４が配設され、第２球排出路１８６に第２始動入賞検知センサ５５が配設されると共に、第４球排出路１８８に普通入賞検知センサ５７が配設されている。
【００７１】
(第２分岐路)
前記第２分岐路Ｒ３は、図１５および図２０に示すように、球導入路Ｒ１の出口部から右下方へ延在する第４球通路部Ｒ３ａと、該第４球通路部Ｒ３ａの下端に連通して垂直下方へ延在する第５球通路部Ｒ３ｂとから構成されている。すなわち、第２分岐路Ｒ３は、球導入路Ｒ１に対して第４球通路部Ｒ３ａが屈曲していると共に、該第４球通路部Ｒ３ａに対して第５球通路部Ｒ３ｂが屈曲している。これにより、規制部材１４４が第２位置において、球導入路Ｒ１の出口部から下方へ通出されたパチンコ球は、第４球通路部Ｒ３ａの壁部および第５球通路部Ｒ３ｂの壁部に適宜接触して減速、減勢されながら第２分岐路Ｒ３内を下方へ移動されるようになっている。そして、第２分岐路Ｒ３の第５球通路部Ｒ３ｂの出口部は、第５球排出路１８９に連通している。
【００７２】
(第２分岐検知センサ)
図１５、図２０および図２１に示すように、第２分岐路Ｒ３の第５球通路部Ｒ３ｂには、第２分岐検知センサ１９０を配設する第３検知センサ設置部１９１が設けられている。第２分岐検知センサ１９０は、長手方向が前後方向となると共に球検知部１９０ａの球通過方向を上下方向とした横向き姿勢で、第３検知センサ設置部１９１に配設される。すなわち、第２分岐検知センサ１９０は、球導入路Ｒ１に配設された導入検知センサ１０７から離間した位置に配設されている。従って、前記規制部材１４４が第２位置において、球導入路Ｒ１から第２分岐路Ｒ３へ通入したパチンコ球は、該第２分岐路Ｒ３の第５球通路部Ｒ３ｂを通過する際に、第２分岐検知センサ１９０の球検知部１９０ａを通過することで検知されるようになっている。なお、前述したように、第２分岐路Ｒ３に通入されたパチンコ球は、該第２分岐路Ｒ３が屈曲していることで減速された状態で第２分岐検知センサ１９０の球検知部１９０ａを通過するので、該球検知部１９０ａで確実に検知され得る。
【００７３】
(導入検知センサ、第１分岐検知センサおよび第２分岐検知センサについて)
前記導入検知センサ１０７、第１分岐検知センサ１４６および第２分岐検知センサ１９０は、何れも同じ形態のセンサであって、球通過口１９６が形成された矩形状のケース体１９５内に、球検知部１０７ａ,１４６ａ,１９０ａが該球通過口１９６と整合した状態で配設されている。各検知センサ１０７,１４６,１９０の球検知部１０７ａ,１４６ａ,１９０ａは、導線が巻回された検知コイルを備え、パチンコ球の通過によって生じる磁場の変化を検知して検知信号をメイン制御基板２１０へ出力する誘導型の近接スイッチが採用されている。ここで、導入検知センサ１０７は、球検知部１０７ａにおいてパチンコ球を検知した場合にメイン制御基板２１０へ検知信号(第１検知信号)を送出し、第１分岐検知センサ１４６は、球検知部１４６ａにおいてパチンコ球を検知した場合にメイン制御基板２１０へ検知信号(第２検知信号)を送出し、第２分岐検知センサ１９０は、球検知部１９０ａにおいてパチンコ球を検知した場合にメイン制御基板２１０へ検知信号(第３検知信号)を送出するようになっている。
【００７４】
(振動検知センサ)
実施例のパチンコ機１０は、図１５、図２０および図２１に示すように、球排出ユニット１８０の第１通路部材１８１に設けられた第４検知センサ設置部１９２に、遊技盤３０の振動を検知可能な振動検知センサ(振動検知手段)２００が配設されている。この振動検知センサ２００は、例えば所定の周波数の衝撃を検知すると２つの状態系のバランスが変化するマルチバイブレータ回路を備えており、遊技者が当該パチンコ機１０の前枠１３や上球貯留部１６等を故意に叩いた場合に、これによる振動を検知してメイン制御基板２１０へ検知信号を出力するようになっている。これにより、パチンコ機１０の前枠１３や上球貯留部１６等を故意に叩いて遊技盤３０に衝撃を与えることで、開閉部材１０４を規制位置から導入位置へ姿勢変位させてパチンコ球を球導入路Ｒ１へ入るようにする不正行為や、規制部材１４４を第２位置から第１位置へ姿勢変位させてパチンコ球を第１分岐路Ｒ２へ通入するようにする不正行為を認識することが可能となっている。
【００７５】
(電波検知センサ)
図２０および図２１に示すように、前記球排出ユニット１８０の第１通路部材１８１には、第１球排出路１８５と第２球排出路１８６との間に、電波出力機器から出力された電波を検知可能な電波検知センサ２０１が配設されている。この電波検知センサ２０１は、第１球排出路１８５に配設された第１始動入賞検知センサ５４および第２球排出路１８６に配設された第２始動入賞検知センサ５５が、遊技盤３０の前側において電波出力機器から出力された電波を検知可能な場合に該電波を検知可能な姿勢に配設されており、電波を検知した際にメイン制御基板２１０に対して検知信号を出力する。従って、電波出力機器を使用した第１始動入賞検知センサ５４および第２始動入賞検知センサ５５に対する不正行為を、電波検知センサ２０１により認識することが可能となっている。
【００７６】
(磁気検知センサ)
また、前記球排出ユニット１８０の第２通路部材１８２および第４通路部材１８４には、磁気発生機器から出力された磁気を検知可能な磁気検知センサ２０２,２０２が配設されている。これら磁気検知センサ２０２は、遊技盤３０の前側において磁気発生機器から発生した磁気を、前述した各検知センサ５４,５５,５６,５７,５８,１０７,１４６,１９０が検知可能な場合に該磁気を検知可能な姿勢に配設されており、磁気を検知した際にメイン制御基板２１０に対して検知信号を出力する。従って、磁気発生機器を使用した各検知センサ５４,５５,５６,５７,５８,１０７,１４６,１９０に対する不正行為を、磁気検知センサ２０２により認識することが可能となっている。
【００７７】
(開閉部材の開閉動作パターンについて)
実施例のパチンコ機１０は、前述したように、大当り抽選により大当り図柄Ａ,Ｂ,ａ,ｂが選択された場合に、第１〜第４の大当り遊技における８回目のラウンドにおいて、入球処理装置４８の開閉部材１０４を開閉動作させて可変入球口４８ａを開放し、当該ラウンド中に、該可変入球口４８ａに入賞したパチンコ球が第１分岐検知センサ１４６で検知されるか否かにより、第１〜第４の大当り遊技終了後に確変状態を付与するか否かを決定するよう構成されている。そして、大当り図柄Ａまたは大当り図柄ａが選択された場合は、第１、第３の大当り遊技の第８ラウンドにおいて第１開閉動作パターンＰ１により開閉部材１０４を開閉させ、大当り図柄Ｂまたは大当り図柄ｂが選択された場合は、第２、第４の大当り遊技の第８ラウンドにおいて第２開閉動作パターンＰ２により開閉部材１０４を開閉させるように設定されている。
【００７８】
ここで、実施例の入球処理装置４８では、規制部材１４４を第１位置および第２位置に姿勢変位させる第２作動ソレノイド１６５が、メイン制御基板２１０により予め設定されたパターンで作動制御されるようになっている。すなわち、図２４(ａ)〜(ｃ)に示すように、第２作動ソレノイド１６５は、一定の周期で励磁・非励磁を繰り返すように制御され、これにより規制部材１４４は、一定の周期で第１位置および第２位置に姿勢変位するよう構成されている。一方、開閉部材１０４を規制位置および導入位置に姿勢変位させる第１作動ソレノイド１２４は、前述した第１、第２開閉動作パターンＰ１,Ｐ２に基づいて励磁・非励磁するよう制御され、開閉部材１０４の姿勢変位のタイミングおよびパターンは、第１、第２開閉動作パターンＰ１,Ｐ２で各々異なっている。
【００７９】
(第１開閉動作パターンＰ１について)
大当り図柄Ａの選択により第１の大当り遊技が実行される場合および大当り図柄ａの選択により第３の大当り遊技が実施される場合に選択される第１開閉動作パターンＰ１は、図２４(ａ)に示すように、規制部材１４４が第２位置から第１位置へ姿勢変位するタイミングより前のタイミングにおいて、開閉部材１０４を規制位置から導入位置へ姿勢変位させると共に、規制部材１４４が第１位置から第２位置へ姿勢変位するタイミングより前のタイミングで、開閉部材１０４を導入位置から規制位置へ姿勢変位させる開閉動作パターンである。ここで、開閉部材１０４を導入位置へ姿勢変位させるタイミングと規制部材１４４を第１位置へ姿勢変位させるタイミングとの時間差は、可変入球口４８ａから規制部材１４４の規制部１６０にパチンコ球が到達するのに要する到達所要時間Ｎ以下に設定されている。また、開閉部材１０４を規制位置へ姿勢変位させるタイミングと規制部材１４４を第２位置へ姿勢変位させるタイミングとの時間差は、可変入球口４８ａから規制部材１４４の規制部１６０にパチンコ球が到達するのに要する到達所要時間Ｎ以下に設定されている。これにより、第１開閉動作パターンＰ１では、開閉部材１０４が導入位置に保持されている状態で可変入球口４８ａに入ったパチンコ球は、球導入路Ｒ１内をスムーズに通過すると第１位置に保持されている規制部材１４４の規制部１６０上に到達するので、高確率で第１分岐路Ｒ２へ通出されて第１分岐検知センサ１４６で検知されるようになる。すなわち、大当り抽選において大当り図柄Ａまたは大当り図柄ａが選択された場合には、可変入球口４８ａに入ったパチンコ球の殆どが第１分岐検知センサ１４６で検知されるようになり、第３の大当り遊技終了後に高確率で確変状態が付与され得る。
【００８０】
(第２開閉動作パターンＰ２について)
大当り図柄Ｂの選択により第２の大当り遊技が実行される場合および大当り図柄ｂの選択により第４の大当り遊技が実施される場合に選択される第２開閉動作パターンＰ２は、図２４(ｂ)に示すように、規制部材１４４が第２位置から第１位置へ姿勢変位するタイミングより後のタイミングにおいて、開閉部材１０４を規制位置から導入位置へ姿勢変位させる開閉動作パターンである。ここで、規制部材１４４を第２位置へ姿勢変位させるタイミングと開閉部材１０４を導入位置へ姿勢変位させるタイミングとの時間差は、可変入球口４８ａから規制部材１４４の規制部１６０にパチンコ球が到達するのに要する到達所要時間Ｎ以下に設定されている。これにより、第２開閉動作パターンＰ２では、開閉部材１０４が導入位置に保持されている状態で可変入球口４８ａに入ったパチンコ球は、規制部材１４４が第２位置に保持されている状態で球導入路Ｒ１の出口部に到達するので、該パチンコ球の略全てが第２分岐路Ｒ３へ通出されて第２分岐検知センサ１９０で検知されるようになる。すなわち、大当り抽選において大当り図柄Ｂ,ｂが選択された場合は、可変入球口４８ａに入ったパチンコ球の殆どが第２分岐検知センサ１９０で検知されて第１分岐検知センサ１４６では検知されないので、第２および第４の大当り遊技終了後には確変状態が付与される確率が第１開閉動作パターンＰ１より低くなっている。
【００８１】
(入球処理装置の異常判定について)
実施例の入球処理装置４８は、球導入路Ｒ１に導入検知センサ１０７を備え、第１分岐路Ｒ２に第１分岐検知センサ１４６を備えると共に、第２分岐路Ｒ３に第２分岐検知センサ１９０を備えたことで、後述するように、当該入球処理装置４８に対して実行しようとする不正行為や、導入検知センサ１０７、第１分岐検知センサ１４６および第２分岐検知センサ１９０の故障の判定が可能に構成されている。また、入球処理装置４８は、導入検知センサ１０７と第１分岐検知センサ１４６との配設向きが異なっていることで、導入検知センサ１０７および第１分岐検知センサ１４６の近くで電波発信機器から発信された電波を両検知センサ１０７,１４６が同時に検知できないよう構成されている。また、入球処理装置４８は、導入検知センサ１０７と第１分岐検知センサ１４６とが所要の距離をおいて配設されているので、所定の設定時間内に導入検知センサ１０７および第１分岐検知センサ１４６の各々から第１検知信号および第２検知信号がメイン制御基板２１０に送信されることを正常と判定するよう構成することで、電波発信機器を使用した不正行為による異常の発生をメイン制御基板２１０が判断することが可能となっている。同様に、導入検知センサ１０７と第２分岐検知センサ１９０とが所要の距離をおいて配設されているので、所定の設定時間内に導入検知センサ１０７および第２分岐検知センサ１９０の各々から第１検知信号および第３検知信号がメイン制御基板２１０に送信されることを正常と判定するよう構成することで、不正行為やセンサの故障による異常の発生をメイン制御基板２１０が判断することが可能となっている。
【００８２】
(入球処理装置に対する第１異常判定実行処理について)
実施例のパチンコ機１０は、前述したように、入球処理装置４８の可変入球口４８ａに入ったパチンコ球を検知する入賞球検知手段として、導入検知センサ１０７、第１分岐検知センサ１４６および第２分岐検知センサ１９０の３つの検知センサを備えた構成として、導入検知センサ１０７からメイン制御基板２１０へ送信される第１検知信号と、第１分岐検知センサ１４６からメイン制御基板２１０へ送信される第２検知信号と、第２分岐検知センサ１９０からメイン制御基板２１０へ送信される第３検知信号とを監視することで、該入球処理装置４８における異常発生を判定し得るようになっている。
【００８３】
メイン制御基板２１０は、図２２に示すように、導入検知センサ１０７から送信される第１検知信号の受信に伴って１加算されると共に、第１分岐検知センサ１４６から送信される第２検知信号および第２分岐検知センサ１９０から送信される第３検知信号の受信に伴って１減算される入賞カウント数を更新するカウント部２２０を備えている。すなわち、入賞カウント数は、メイン制御基板２１０への第１検知信号の受信数と、第２検知信号および第３検知信号との受信数の差であり、換言すると導入検知センサ１０７が検知して第１分岐検知センサ１４６および第２分岐検知センサ１９０で検知していない数(第１分岐検知センサ１４６および第２分岐検知センサ１９０での未検知数)である。また、メイン制御基板２１０は、導入検知センサ１０７から送信される第１検知信号の入力に伴い、予め決められている設定時間を計測する入賞検知タイマを設定するタイマ部２２１を備えている。更に、メイン制御基板２１０は、カウント部２２０により更新された入賞カウント数およびタイマ部２２１が設定した入賞検知タイマをもとに第１異常判定実行処理を行なう異常判定手段である異常判定部(異常判定手段)２２２を備えている。
【００８４】
メイン制御基板２１０の異常判定部２２２は、カウント部２２０により更新された入賞カウント数が予め設定された基準カウント数以上か否かを判定する第１の異常判定と、入賞カウント数が初期値「０」の状態で第１分岐検知センサ１４６からの第２検知信号がメイン制御基板２１０に受信されたか否かを判定する第２の異常判定と、メイン制御基板２１０に第１分岐検知センサ１４６からの第２検知信号または第２分岐検知センサ１９０からの第３検知信号が受信されない状態で入賞検知タイマが設定時間(判定時間)Ｔをカウントしたか否かを判定する第３の異常判定とを行なうよう構成されている。そして、異常判定部２２２は、第１〜第３の異常判定の何れかの判定結果が肯定判定となることで、後述する異常判定処理を実行して入球処理装置４８の異常を検知するよう設定されている。
【００８５】
また、メイン制御基板２１０の異常判定部２２２は、第２の異常判定および第３の異常判定の実行前に、第１の異常判定を実行するよう設定されている。すなわち、異常判定部２２２は、第１の異常判定の判定結果が肯定結果の場合には、第２の異常判定および第３の異常判定を実行することなく、異常判定処理を行なうように設定されている。
【００８６】
ここで、第１の異常判定の基準となる基準カウント数は、実施例では「５」に設定されている。近接スイッチである導入検知センサ１０７は、パチンコ球が球検知部１０７ａを通過する際に、瞬時に数回(実際には２〜３回)の球検知がなされるチャタリングが発生することがあり、このチャタリングによる異常検知の判定とは別に、不正による異常を明確に判定し得るように基準カウント数を「５」に設定してある。
【００８７】
また、入賞球検知タイマの設定時間Ｔは、球導入路Ｒ１に配設された導入検知センサ１０７と第１分岐路Ｒ２に配設された第１分岐検知センサ１４６の球通過方向における配設間隔と、該導入検知センサ１０７と第２分岐路Ｒ３に配設された第２分岐検知センサ１９０の球通過方向における配設間隔とに基づき、実施例では「３秒」に設定されている。実施例の入球処理装置４８におけるセンサ配設態様では、可変入球口４８ａに入賞したパチンコ球が球導入路Ｒ１から第１分岐路Ｒ２へ正常に通出される場合に、導入検知センサ１０７による当該パチンコ球の検知から第１分岐検知センサ１４６による当該パチンコ球の検知までは３秒以下である。同様に、可変入球口４８ａに入賞したパチンコ球が球導入路Ｒ１から第２分岐路Ｒ３へ正常に通出される場合に、導入検知センサ１０７による当該パチンコ球の検知から第２分岐検知センサ１９０による当該パチンコ球の検知までは３秒以下である。従って、入賞検知タイマの設定時間Ｔを「３秒」に設定することで、導入検知センサ１０７によるパチンコ球の検知から３秒経過しても第１分岐検知センサ１４６または第２分岐検知センサ１９０において該パチンコ球の検知がなされない場合には、異常が発生したと判定することが可能である。
【００８８】
(第１異常判定実行処理について)
実施例では、メイン制御基板２１０の異常判定部２２２における第１〜第３の異常判定の何れかの判定結果が肯定判定となった場合に、該異常判定部２２２が実行する異常判定処理として、報知制御手段である統括制御基板２１１に異常報知信号を送信して、該統括制御基板２１１では、所定の報知手段を作動制御して異常を報知するようになっている。ここで、報知手段としては、図２２に示すように、中枠１２や前枠１３等に配設され、ランプ制御基板２１４により制御されるランプ装置２１７や、中枠１２や前枠１３等に配設され、音制御基板２１５により制御されるスピーカ２１８、表示制御基板２１２により制御される図柄表示装置１８等である。従って、第１〜第３の異常判定の何れかの判定結果が肯定判定となった場合に、メイン制御基板２１０の異常判定部２２２からの異常報知信号を受信した統括制御基板２１１は、ランプ制御基板２１４、音制御基板２１５および表示制御基板２１２の全てまたは何れかに制御信号を送信し、ランプ装置２１７、スピーカ２１８および図柄表示装置１８の全てまたは何れかにより異常報知がなされる。
【００８９】
また、実施例のパチンコ機１０では、図２２に示すように、メイン制御基板２１０に接続された払出制御基板２１６が、外部中継端子２３０を介してホールコンピュータ２３１に接続されている。従って実施例では、異常判定部２２２が実行する異常判定処理として、該異常判定部２２２は、払出制御基板２１６を介してホールコンピュータ２３１に異常報知信号を送信するように設定されており、該ホールコンピュータ２３１に対しても異常報知がなされる。なお、メイン制御基板２１０は、払出制御基板２１６を介さずに直接ホールコンピュータ２３１と接続された構成であってもよい。
【００９０】
メイン制御基板２１０のメイン制御ＣＰＵ２１０ａは、異常判定部２２２における第１〜第３の異常判定の何れかの判定結果が肯定判定となった場合に、払出制御基板２１６に制御信号を送信して、球払出装置２２の球払出作動を停止する制御を実行する。
【００９１】
次に、メイン制御基板２１０の異常判定部２２２が行なう第１異常判定実行処理につき、図２５を引用して具体的に説明する。実施例では、図２５に示す第１異常判定実行処理が、４ｍｓ毎に実行されるように設定されている。なお、実施例では、前述したように、第１の異常判定の基準となる基準カウント数が「５」に設定されていることから、入賞カウント数が「０」の場合、入賞カウント数が「１」の場合、「２〜４」の場合、「５」の場合に各々における第１異常判定実行処理について説明する。
【００９２】
(入賞カウント数が「０」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。ここで、入賞カウント数が「０」であるから第１の異常判定の判定結果が否定判定となり、異常判定部２２２は、第１分岐検知センサ１４６からの第２検知信号または第２分岐検知センサ１９０からの第３検知信号の何れかをメイン制御基板２１０が受信したか否かを判定する(ステップＳ２１)。異常判定部２２２は、メイン制御基板２１０が第２検知信号または第３検知信号を受信していないと判定した場合に、入賞検知タイマが「０」であるか否かを判定する(ステップＳ２５)。入賞カウント数が「０」の場合(第１検知信号をメイン制御基板２１０が受信していない場合)は、入賞検知タイマが設定されていないから該該入賞検知タイマは「０」となっており、異常判定部２２２は、入球処理装置４８に異常が発生していないと判定して当該第１異常判定実行処理を終了する。
【００９３】
また、異常判定部２２２は、ステップＳ２１において、メイン制御基板２１０が第１分岐検知センサ１４６からの第２検知信号または第２分岐検知センサ１９０からの第３検知信号の何れかを受信したと判定した場合に、入賞カウント数が「０」か否かを判定する(ステップＳ２２)。この判定が、前述した第２の異常判定である。ここで、入賞カウント数は「０」であるから、メイン制御基板２１０が導入検知センサ１０７からの第１検知信号を受信していない状態で第１分岐検知センサ１４６からの第２検知信号または第２分岐検知センサ１９０からの第３検知信号を受信したことになる。従って、第２の異常判定の判定結果が肯定判定となり、異常判定部２２２は、異常が発生したと判定して前述した異常判定処理を実行する(ステップＳ２８)。そして異常判定部２２２は、入賞検知タイマをクリアして(ステップＳ２９)、当該第１異常判定実行処理を終了する。
【００９４】
(入賞カウント数が「１」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。入賞カウント数が「１」であるから第１の異常判定の判定結果は否定判定となり、異常判定部２２２は、第１分岐検知センサ１４６からの第２検知信号または第２分岐検知センサ１９０からの第３検知信号の何れかをメイン制御基板２１０が受信したか否かを判定する(ステップＳ２１)。異常判定部２２２は、メイン制御基板２１０が第２検知信号または第３検知信号を受信したと判定した場合に、入賞カウント数が「０」であるか否かを判定する(ステップＳ２２)。ここで、入賞カウント数が「１」であるから、異常判定部２２２は、入賞カウント数を１減算し(ステップＳ２３)、再び入賞カウント数が「０」であるか否かを判定する(ステップＳ２４)。入賞カウント数は「１」から１減算されて「０」になっているから、異常判定部２２２は、入賞検知タイマをクリアして(ステップＳ２９)、当該第１異常判定実行処理を終了する。
【００９５】
一方、ステップＳ２１において、第１分岐検知センサ１４６からの第２検知信号または第２分岐検知センサ１９０からの第３検知信号をメイン制御基板２１０が受信していないと判定した場合は、異常判定部２２２は、入賞検知タイマが「０」であるか否かを判定する(ステップＳ２５)。入賞カウント数が「１」の場合には、導入検知センサ１０７からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。この判定が、前述した第３の異常判定である。ここで、入賞検知タイマが「０」になっていないと判定した場合(第３の異常判定の判定結果が否定判定の場合)は、異常判定部２２２は、異常が発生していないと判定して当該第１異常判定実行処理を終了する。
【００９６】
また、ステップＳ２７において、入賞検知タイマが「０」と判定した場合(第３の異常判定の判定結果が肯定判定の場合)には、第１分岐検知センサ１４６からの第２検知信号または第２分岐検知センサ１９０からの第３検知信号をメイン制御基板２１０が受信していない状態で、入賞検知タイマが設定時間Ｔをカウントしたことになる。すなわち、導入検知センサ１０７からの第１検知信号をメイン制御基板２１０が受信してから設定時間(判定時間)Ｔを経過しても、第１分岐検知センサ１４６からの第２検知信号または第２分岐検知センサ１９０からの第３検知信号をメイン制御基板２１０が受信していない状態である。従って、異常判定部２２２は、異常が発生したと判定して前述した異常判定処理を実行する(ステップＳ２８)。そして異常判定部２２２は、入賞検知タイマをクリアして(ステップＳ２９)、当該第１異常判定実行処理を終了する。
【００９７】
(入賞カウント数が「２」〜「４」の場合)
メイン制御基板２１０の異常判定部２２２は、先ず、カウント部２２０により更新された入賞球カウント数が基準カウント数以上か否かを判定する(ステップＳ２０)。入賞カウント数が「２」〜「４」であるから、異常判定部２２２は、第１分岐検知センサ１４６からの第２検知信号または第２分岐検知センサ１９０からの第３検知信号の何れかをメイン制御基板２１０が受信したか否かを判定する(ステップＳ２１)。異常判定部２２２は、メイン制御基板２１０が第２検知信号または第３検知信号を受信したと判定した場合に、入賞カウント数が「０」であるか否かを判定する(ステップＳ２２)。そして、入賞カウント数が「２」〜「４」であるから、異常判定部２２２は、入賞カウント数を１減算し(ステップＳ２３)、再び入賞カウント数が「０」であるか否かを判定する(ステップＳ２４)。ここで、入賞カウント数は１減算されるが「０」にはなっていないから、異常判定部２２２は、入賞検知タイマが「０」であるか否かを判定する(ステップＳ２５)。
【００９８】
入賞カウント数が「２」〜「４」の場合には、導入検知センサ１０７からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。この判定が、前述した第３の異常判定である。そして、入賞検知タイマが「０」になっていないと判定した場合(第３の異常判定の判定結果が否定判定の場合)は、異常判定部２２２は、異常が発生していないと判定して当該第１異常判定実行処理を終了する。
【００９９】
一方、ステップＳ２１において、第１分岐検知センサ１４６からの第２検知信号または第２分岐検知センサ１９０からの第３検知信号をメイン制御基板２１０が受信していないと判定した場合は、異常判定部２２２は、入賞検知タイマが「０」であるか否かを判定する(ステップＳ２５)。入賞カウント数が「２」〜「４」の場合には、前述したように、導入検知センサ１０７からの第１検知信号の受信と共に設定された入賞検知タイマが「０」となっていないから、異常判定部２２２は、該入賞検知タイマを減算して(ステップＳ２６)、再び入賞検知タイマが「０」になったか否かを判定する(ステップＳ２７)。そして、入賞検知タイマが「０」になっていないと判定した場合(第３の異常判定の判定結果が否定判定の場合)は、異常判定部２２２は、異常が発生していないと判定して当該第１異常判定実行処理を終了する。
【０１００】
また、ステップＳ２７において、入賞検知タイマが「０」と判定した場合(第３の異常判定の判定結果が肯定判定の場合)には、第１分岐検知センサ１４６からの第２検知信号または第２分岐検知センサ１９０からの第３検知信号をメイン制御基板２１０が受信していない状態で、入賞検知タイマが設定時間Ｔをカウントしたことになる。すなわち、導入検知センサ１０７からの第１検知信号をメイン制御基板２１０が受信してから設定時間Ｔを経過しても、第１分岐検知センサ１４６からの第２検知信号または第２分岐検知センサ１９０からの第３検知信号をメイン制御基板２１０が受信していない状態である。従って、異常判定部２２２は、異常が発生したと判定して前述した異常判定処理を実行する(ステップＳ２８)。そして異常判定部２２２は、入賞検知タイマをクリアして(ステップＳ２９)、当該第１異常判定実行処理を終了する。
【０１０１】
(入賞カウント数が「５」の場合)
メイン制御基板２１０の異常判定部２２２は、先ず、カウント部２２０により更新された入賞球カウント数が基準カウント数以上か否かを判定する(ステップＳ２０)。この判定が、前述した第１の異常判定である。ここで、入賞カウント数が「５」であるから第１の異常判定の判定結果が肯定判定となり、異常判定部２２２は、入球処理装置４８に異常が発生したと判定して異常判定処理を行なう(ステップＳ２８)。そして、異常判定部２２２は、入賞検知タイマをクリアした後(ステップＳ２９)、当該第１異常判定実行処理を終了する。なお、入賞カウント数が「６」以上の場合も、異常判定部２２２は異常判定処理を行なう。
【０１０２】
(入球処理装置に対する第２異常判定実行処理について)
実施例のパチンコ機１０は、第１作動機構１０６の第１作動ソレノイド１２４が停止状態において、導入検知センサ１０７からメイン制御基板２１０へ送信される第１検知信号と、第１分岐検知センサ１４６からメイン制御基板２１０へ送信される第２検知信号と、第２分岐検知センサ１９０からメイン制御基板２１０へ送信される第３検知信号とを監視する第２異常判定実行処理を異常判定部２２２が実行することで、該入球処理装置４８における異常発生を判定し得るようになっている。この第２異常判定実行処理は、図２６に示すように、第１作動ソレノイド１２４が停止中(非作動状態)であるか判定し(ステップＳ３０)、ステップＳ３０の判定結果が否定(第１作動ソレノイド１２４が作動中)の場合には、当該第２異常判定実行処理を終了する。一方、ステップＳ３０の判定結果が肯定の場合は、メイン制御基板２１０が第１検知信号、第２検知信号および第３検知信号を受信したか否かを判定する(ステップＳ３１)。ステップＳ３１の判定結果が否定(メイン制御基板２１０が第１検知信号、第２検知信号および第３検知信号の何れも受信していない)の場合は、当該第２異常判定実行処理を終了する。しかし、ステップＳ３１の判定結果が肯定(メイン制御基板２１０が第１検知信号、第２検知信号および第３検知信号の何れかを受信した)の場合は、第１作動ソレノイド１２４が非作動状態で、可変入球口４８ａからパチンコ球が通入不可能であるにも拘わらず、導入検知センサ１０７、第１分岐検知センサ１４６および第２分岐検知センサ１９０の何れかかが検知信号を送信した異常状態である。従って、異常判定部２２２は、入球処理装置４８に異常が発生したと判定して異常判定処理を行なう(ステップＳ３２)。なお、異常判定処理は、第１異常判定実行処理と同じ処理が行なわれる。
【０１０３】
(実施例の作用)
実施例のパチンコ機１０は、パチンコ遊技において、操作ハンドル１７により発射操作を行なうことで球送り装置および打球発射装置１９が作動し、上球貯留部１６内に貯留されたパチンコ球が、遊技盤３０の遊技領域３１内へ所定間隔毎に打ち出される。遊技領域３１に打ち出されたパチンコ球は、球案内釘５０に接触しながら流下し、該パチンコ球の一部は、第１始動入賞装置４５の第１始動入賞口４５ａや、球通過ゲート５２を通過したことを契機として第２始動入賞装置４６の第２始動入賞口４６ａや、普通入賞装置４９の普通入賞口４９ａや、普通入賞口８３に入賞する。
【０１０４】
(第１始動入賞口にパチンコ球が入賞した場合)
ここで、第１始動入賞口４５ａに入賞したパチンコ球は、第１始動入賞検知センサ５４で検知され、該第１始動入賞検知センサ５４は、メイン制御基板２１０へ検知信号を送信する。第１始動入賞検知センサ５４からの検知信号を受信したメイン制御基板２１０のメイン制御ＣＰＵ２１０ａは、大当り抽選を行なう一方、統括制御基板２１１に所要の制御信号を出力して、図柄表示装置１８の表示部１８ａで図柄変動演出を行なわせると共に、中枠１２の後側に配設された払出制御基板２１６に制御信号を出力して、球払出装置２２に所定数の賞球を払い出させる。
【０１０５】
メイン制御基板２１０のメイン制御ＣＰＵ２１０ａにおける大当り抽選の結果として、大当り図柄Ａ,Ｂが選択された場合には、図柄表示装置１８の表示部１８での図柄変動演出の後に、左、中、右図柄列２４,２５,２６に所定の図柄組合わせで図柄が停止表示されると共に、特別入賞装置４７の特別入賞口４７ａが開放し、パチンコ球を右打ち状態とすることで、特別入賞口４７ａに対して多数のパチンコ球が入賞可能となる。これにより、第２遊技領域３１ｂに打ち出されたパチンコ球は、球案内釘５０に接触しながら流下し、その一部が特別入賞口４７ａに入賞するようになる。そして、特別入賞口４７ａから入賞したパチンコ球を検知した特別入賞検知センサ５６からの検知信号を受信したメイン制御基板２１０のメイン制御ＣＰＵ２１０ａは、中枠１２の後側に配設された払出制御基板２１６に制御信号を出力して、球払出装置２２に所定数の賞球を払い出させる。
【０１０６】
ここで、大当り図柄Ａが選択されて第１の大当り遊技が実行される場合には、該第１の大当り遊技における８回目のラウンド(第８ラウンド)において、入球処理装置４８の開閉部材１０４が第１開閉動作パターンＰ１に基づいて開閉するようになる。ここで、開閉部材１０４の導入位置において、可変入球口４８ａを介して球導入路Ｒ１内へ導入されたパチンコ球は、規制部材１４４が第１位置に保持されていることで、その殆どが第１分岐路Ｒ２へ通入されて第１分岐検知センサ１４６で検知される。従って、大当り図柄Ａが選択されて第１の大当り遊技が実行される場合には、当該第１の大当り遊技終了後に高確率で確変状態が付与され得る。
【０１０７】
また、大当り図柄Ｂが選択されて第２の大当り遊技が実行される場合には、該第２の大当り遊技における８回目のラウンド(第８ラウンド)において、入球処理装置４８の開閉部材１０４が第２開閉動作パターンＰ２に基づいて開閉するようになる。そして、開閉部材１０４の導入位置において、可変入球口４８ａを介して球導入路Ｒ１内へ導入されたパチンコ球は、該パチンコ球の殆どが、規制部材１４４が第２位置に保持されている場合に球導入路Ｒ１の出口部に到達するので、第２分岐路Ｒ３へ通入されて第２分岐検知センサ１９０で検知される。すなわち、パチンコ球は、第１分岐路Ｒ２へ通入されることは殆どない。従って、大当り図柄Ｂが選択されて第２の大当り遊技が実行される場合には、当該第２の大当り遊技終了後に低確率で確変状態が付与され得る。
【０１０８】
(第２始動入賞口にパチンコ球が入賞した場合)
また、パチンコ球が球通過ゲート５２を通過したことを契機として、第２始動入賞装置４６の第２始動入賞口４６ａの開放のための抽選が行なわれ、該抽選結果が肯定の場合は、第２始動入賞装置４６の開閉部材４６ｂが開放制御されて第２始動入賞口４６ａが開放され、該第２始動入賞口４６ａに対するパチンコ球の入賞が可能となる。
【０１０９】
第２始動入賞口４６ａに入賞したパチンコ球は、第２始動入賞検知センサ５５で検知され、該第２始動入賞検知センサ５５は、メイン制御基板２１０へ検知信号を送信する。第２始動入賞検知センサ５５からの検知信号を受信したメイン制御基板２１０のメイン制御ＣＰＵ２１０ａは、大当り抽選を行なう一方、統括制御基板２１１に所要の制御信号を出力して、図柄表示装置１８の表示部１８ａで図柄変動演出を行なわせると共に、中枠１２の後側に配設された払出制御基板２１６に制御信号を出力して、球払出装置２２に所定数の賞球を払い出させる。
【０１１０】
メイン制御基板２１０のメイン制御ＣＰＵ２１０ａにおける大当り抽選の結果として、大当り図柄ａ,ｂが選択された場合には、図柄表示装置１８の表示部１８での図柄変動演出の後に、左、中、右図柄列２４,２５,２６に所定の図柄組合わせで図柄が停止表示されると共に、特別入賞装置４７の特別入賞口４７ａが開放し、パチンコ球を右打ち状態とすることで、特別入賞口４７ａに対して多数のパチンコ球が入賞可能となる。これにより、第２遊技領域３１ｂに打ち出されたパチンコ球は、球案内釘５０に接触しながら流下し、その一部が特別入賞口４７ａに入賞するようになる。そして、特別入賞口４７ａから入賞したパチンコ球を検知した特別入賞検知センサ５６からの検知信号を受信したメイン制御基板２１０のメイン制御ＣＰＵ２１０ａは、中枠１２の後側に配設された払出制御基板２１６に制御信号を出力して、球払出装置２２に所定数の賞球を払い出させる。
【０１１１】
ここで、大当り図柄ａが選択されて第３の大当り遊技が実行される場合には、該第３の大当り遊技における８回目のラウンド(第８ラウンド)において、入球処理装置４８の開閉部材１０４が第１開閉動作パターンＰ１に基づいて開閉するようになる。ここで、開閉部材１０４の導入位置において、可変入球口４８ａを介して球導入路Ｒ１内へ導入されたパチンコ球は、規制部材１４４が第１位置に保持されていることで、その殆どが第１分岐路Ｒ２へ通入されて第１分岐検知センサ１４６で検知される。従って、大当り図柄ａが選択されて第３の大当り遊技が実行される場合には、当該第３の大当り遊技終了後に高確率で確変状態が付与され得る。
【０１１２】
また、大当り図柄ｂが選択されて第４の大当り遊技が実行される場合には、該第４の大当り遊技における８回目のラウンド(第８ラウンド)において入球処理装置４８の開閉部材１０４が第２開閉動作パターンＰ２に基づいて開閉するようになる。そして、開閉部材１０４の導入位置において、可変入球口４８ａを介して球導入路Ｒ１内へ導入されたパチンコ球は、該パチンコ球の殆どが、規制部材１４４が第２位置に保持されている場合に球導入路Ｒ１の出口部に到達するので、第２分岐路Ｒ３へ通入されて第２分岐検知センサ１９０で検知される。すなわち、パチンコ球は、第１分岐路Ｒ２へ通入されることは殆どない。従って、大当り図柄ｂが選択されて第４の大当り遊技が実行される場合には、当該第４の大当り遊技終了後に低確率で確変状態が付与され得る。
【０１１３】
従って、実施例のパチンコ機１０では、大当り抽選において大当り図柄Ａ,Ｂ,ａ,ｂが選択された場合に、第１〜第４の大当り遊技における第８ラウンド中において、入球処理装置４８の可変入球口４８ａに入ったパチンコ球が第１分岐検知センサ１４６で検知されるか否かにより、当該大当り遊技終了後に遊技者に有利な特典である確変状態の付与可否が決定される。従って、第１〜第４の大当り遊技開始時には当該大当り遊技終了後における確変状態の付与可否が決定されず、大当り遊技中において入球処理装置４８に配設された第１分岐検知センサ１４６がパチンコ球を検知するか否かにより当該大当り遊技終了後における確変状態の付与可否が決定されるので、入球処理装置４８の可変入球口４８ａに入ったパチンコ球の通出態様に対する遊技者の関心が高まるため、大当り遊技における興趣の向上を図ることができる。
【０１１４】
(入球処理装置に対する第１異常判定実行処理について)
一方、メイン制御基板２１０に備えられた異常判定部２２２では、入球処理装置４８における導入検知センサ１０７からの第１検知信号、第１分岐検知センサ１４６からの第２検知信号および第２分岐検知センサ１９０からの第３検知信号を元に、所定時間(４ｍｓ)毎に第１異常判定実行処理を行なっている。ここで、異常判定部２２２は、第１異常判定実行処理において、カウント部２２０により更新された入賞カウント数が予め設定された基準カウント数以上となったと判定した場合には、異常判定処理を実行して統括制御基板２１１に異常報知信号を送信し、該統括制御基板２１１は、ランプ装置２１７、スピーカ２１８、図柄表示装置１８の表示部１８ａの全てまたは何れかを作動させ、異常報知が行なわれる。また、メイン制御基板２１０は、払出制御基板２１６を介してホールコンピュータ２３１に異常検知信号を送信する。
【０１１５】
また、異常判定部２２２は、第１異常判定実行処理において、導入検知センサ１０７からの第１検知信号の受信から設定時間Ｔ(３秒)を経過したにも拘わらず、第１分岐検知センサ１４６からの第２検知信号を受信したと判定しない場合や、第２分岐検知センサ１９０からの第３検知信号を受信したと判定しない場合には、異常判定処理を実行して統括制御基板２１１およびホールコンピュータ２３１に対して異常報知信号を送信して、入球処理装置４８の異常発生を報知する。
【０１１６】
また、異常判定部２２２は、第１異常判定実行処理において、導入検知センサ１０７からの第１検知信号を受信していないにも拘わらず、第１分岐検知センサ１４６からの第２検知信号を受信したと判定した場合や、第２分岐検知センサ１９０からの第３検知信号を受信したと判定した場合には、異常判定処理を実行して統括制御基板２１１およびホールコンピュータ２３１に対して異常報知信号を送信して、入球処理装置４８の異常発生を報知する。
【０１１７】
更に、異常判定部２２２は、第２異常判定実行処理において、第１作動機構１０６の第１作動ソレノイド１２４が非励磁状態において、導入検知センサ１０７からの第１検知信号を受信したと判定した場合や、第１分岐検知センサ１４６からの第２検知信号を受信したと判定した場合や、第２分岐検知センサ１９０からの第３検知信号を受信したと判定した場合には、異常判定処理を実行して統括制御基板２１１およびホールコンピュータ２３１に対して異常報知信号を送信して、入球処理装置４８の異常発生を報知する。
【０１１８】
また、異常判定部２２２は、振動検知センサ２００からの検知信号を受信したと判定した場合や、電波検知センサ２０１からの検知信号を受信したと判定した場合や、磁気検知センサ２０２からの検知信号を受信したと判定した場合には、異常判定処理を実行して統括制御基板２１１およびホールコンピュータ２３１に対して異常報知信号を送信して、入球処理装置４８の異常発生を報知する。
【０１１９】
従って、第１の異常判定において、導入検知センサ１０７からの第１検知信号の入力に伴う入賞カウント数が基準カウント数以上となった場合に、異常判定部２２２が入球処理装置４８の入賞異常を検知するよう設定されているから、該入球処理装置４８に対する不正行為や異常発生を適切に確認することができる。また、導入検知センサ１０７からの第１検知信号がメイン制御基板２１０に入力されることなく(導入検知センサ１０７がパチンコ球を検知することなく)、第１分岐検知センサ１４６からの第２検知信号がメイン制御基板２１０に入力された(第１分岐検知センサ１４６が入賞球を検知した)場合や、第２分岐検知センサ１９０からの第３検知信号がメイン制御基板２１０に入力された(第２分岐検知センサ１９０が入賞球を検知した)場合は、異常判定部２２２が入球処理装置４８の異常を検知するよう設定されているから、該入球処理装置４８に対する不正行為や異常発生を適切に確認することができる。また、導入検知センサ１０７からの第１検知信号がメイン制御基板２１０に入力されてから(導入検知センサ１０７が入賞球を検知してから)入賞検知タイマが設定時間Ｔをカウントしても、第１分岐検知センサ１４６からの第２検知信号がメイン制御基板２１０に入力されない(第１分岐検知センサ１４６が入賞球を検知しない)場合や、第２分岐検知センサ１９０からの第３検知信号がメイン制御基板２１０に入力されない(第２分岐検知センサ１９０が入賞球を検知しない)場合は、異常判定部２２２が入球処理装置４８の異常を検知するように設定されているから、該入球処理装置４８に対する不正行為や異常発生を適切に確認することができる。更に、入賞カウント数が基準カウント数以上となった場合(第１の異常判定が肯定判定となった場合)に、第２の異常判定および第３の異常判定を実行することなく可変入球口４８ａの入賞異常を検知するよう設定されているから、該入球処理装置４８の異常を効率的に検知し得る。
【０１２０】
また、第１作動機構１０６の第１作動ソレノイド１２４が非作動時において、導入検知センサ１０７、第１分岐検知センサ１４６または第２分岐検知センサ１９０の何れかが検知信号を出力した場合は、可変入球口４８ａが開放していないにも拘わらず(入球処理装置４８が停止状態にあるにも拘わらず)該センサ１０７,１４６,１９０が検知信号を出力したことになり、入球処理装置４８の異常発生を適切に確認することができる。
【０１２１】
また、異常判定部２２２が入賞異常を検知した場合に、ランプ装置２１７、スピーカ２１８または図柄表示装置１８の表示部１８ａの全てまたは何れかが作動して、入球処理装置４８における異常の発生が報知されると共に、ホールコンピュータ２３１にも異常の発生が報知されるから、不正の発生や、チャタリングによる異常検知の発生を適切に確認することができる。
【０１２２】
更に、球導入路Ｒ１から第１分岐路Ｒ２に至る屈曲部を挟んだ上流側に導入検知センサ１０７が配設されると共に、該屈曲部の下流側に第１分岐検知センサ１４６が配設されているから、導入検知センサ１０７による検知から第１分岐検知センサ１４６による検知までの間にパチンコ球の移動方向が変更され、導入検知センサ１０７で検知されたパチンコ球を、屈曲部で減速、減勢した後に第１分岐検知センサ１４６で検知させることができる。すなわち、第１分岐検知センサ１４６を通過する際のパチンコ球が減速されているから、該第１分岐検知センサ１４６でのパチンコ球の検知を適切に行なうことができる。また、導入検知センサ１０７でのパチンコ球の検知と第１分岐検知センサ１４６でのパチンコ球の検知とが所定の時間差で行なわれるから、パチンコ球による通常の検知と異常による検知とを判別することができる。そして、導入検知センサ１０７と第１分岐検知センサ１４６との配設位置が近くても、パチンコ球の正常検知か異常検知かを適切に判断することができる。
【０１２３】
同様に、球導入路Ｒ１から第２分岐路Ｒ２に至る屈曲部を挟んだ上流側に導入検知センサ１０７が配設されると共に、該屈曲部の下流側に第２分岐検知センサ１９０が配設されているから、導入検知センサ１０７による検知から第２分岐検知センサ１９０による検知までの間にパチンコ球の移動方向が変更され、導入検知センサ１０７で検知されたパチンコ球を、屈曲部で減速、減勢した後に第２分岐検知センサ１９０で検知させることができる。すなわち、第２分岐検知センサ１９０を通過する際のパチンコ球が減速されているから、該第２分岐検知センサ１９０でのパチンコ球の検知を適切に行なうことができる。また、導入検知センサ１０７でのパチンコ球の検知と第２分岐検知センサ１９０でのパチンコ球の検知とが所定の時間差で行なわれるから、パチンコ球による通常の検知と異常による検知とを判別することができる。そして、導入検知センサ１０７と第２分岐検知センサ１９０との配設位置が近くても、パチンコ球の正常検知か異常検知かを適切に判断することができる。
【０１２４】
また、実施例の入球処理装置４８では、球導入路Ｒ１の出口部が下方を指向しているのに対し、第１分岐検知センサ１４６が配設された第１分岐路Ｒ２の第１球通路部Ｒ２ａが、該球導入路Ｒ１の出口方向と交差する前方へ延在しており、球導入路Ｒ１と第１分岐路Ｒ２とが屈曲した状態で連設されている。従って、入球処理装置４８の可変入球口４８ａから球導入路Ｒ１へ針金や棒材等の異物を差し込んだ場合には、該異物が第１分岐路Ｒ２へ挿入されることが阻止され、針金や棒材等を第１分岐路Ｒ２へ挿入させて第１分岐検知センサ１４６で検知させる不正行為を好適に防止することができる。
【０１２５】
(変更例)
本発明に係る遊技機は、実施例に例示の形態に限らず種々の変更が可能である。
（１）入球処理装置４８における規制部材１４４の作動タイミングや、第１、第２開閉動作パターンＰ１,Ｐ２に基づく開閉部材１０４の開閉動作は、実施例で例示したものに限らず、様々なパターンに設定することが可能である。例えば、開閉部材１０４は、大当り図柄Ａが選択されることに実行される第１の大当り遊技および図柄ａが選択されることにより実行される第３の大当り遊技の各々の第８ラウンドにおいて、該第８ラウンドの開始時から終了時まで、連続して導入位置に保持するようにしてもよい。この場合には、第８ラウンド中において規制部材１４４が第１位置に保持されるよう設定してある場合には、可変入球口４８ａに入球したパチンコ球が第１分岐検知センサ１４６により検知されるようになり、第３の大当り遊技終了後に確変状態が付与される確率を略１００％とすることができる。また、開閉部材１０４は、大当り図柄Ｂが選択されることにより実行される第２の大当り遊技および大当り図柄ｂが選択されることにより実行される第４の大当り遊技の各々の第８ラウンドにおいて、開閉動作が瞬時になされる短開閉動作を１回または複数回行なうようにしてもよい。この場合には、可変入球口４８ａにパチンコ球が入球する確率が極めて低くなり、第２および第４の大当り遊技終了後に確変状態が付与される確率を略０％とすることができる。
（２）実施例では、大当り図柄Ａが選択されることに実行される第１の大当り遊技および図柄ａが選択されることにより実行される第３の大当り遊技の第８ラウンドにおいて、第１開閉動作パターンＰ１により開閉部材１０４を開閉する場合を例示したが、図２７に示すように、第１の大当り遊技における開閉動作パターンとして、第３の大当り遊技における開閉動作パターンＰ１と異なる第３開閉動作パターンＰ３を設定するようにしてもよい。この第３開閉動作パターンＰ３は、規制部材１４４が第２位置から第１位置へ姿勢変位するタイミングと同じタイミングにおいて、開閉部材１０４を規制位置から導入位置へ姿勢変位させると共に、規制部材１４４が第１位置から第２位置へ姿勢変位するタイミングと同じタイミングで、開閉部材１０４を導入位置から規制位置へ姿勢変位させる開閉動作パターンである。これにより、第３開閉動作パターンＰ３では、開閉部材１０４が導入位置に保持される期間の前半において可変入球口４８ａに入ったパチンコ球は、球導入路Ｒ１内をスムーズに通過すると第１位置に保持されている規制部材１４４の規制部１６０上に到達するので、第１分岐路Ｒ２へ通出されて第１分岐検知センサ１４６で検知される。しかし、開閉部材１０４が導入位置に保持される期間の後半に可変入球口４８ａに入ったパチンコ球は、規制部材１４４が第２位置へ姿勢変位した後に球導入路Ｒ１の出口部に到達するようになり、第２分岐路Ｒ３へ通出されて第２分岐検知センサ１９０で検知される。すなわち、大当り抽選において大当り図柄Ａが選択された場合には、大当り図柄ａが選択された場合より低い確率でかつ大当り図柄Ｂ,ｂが選択された場合より高い確率で、可変入球口４８ａに入ったパチンコ球が第１分岐検知センサ１４６で検知されるようになり、第１の大当り遊技終了後に確変状態が付与される確率は、第１開閉動作パターンＰ１より低く、第２開閉動作パターンＰ２より高くなる。
（３）特図１における大当り図柄の種類および特図２における大当り図柄の種類は、実施例で例示した数に限定されるものではなく、大当り遊技の種類および遊技内容も実施例に例示したものに限定されない。
（４）大当り遊技に入球処理装置４８を作動させる特定のラウンドは、実施例で例示した第８ラウンドに限らず違うラウンドに適宜変更可能である。
（５）実施例では、導入検知センサ１０７、第１分岐検知センサ１４６、第２分岐検知センサ１９０として近接スイッチを採用したが、これら全ての検知センサまたは一部の検知センサを機械式スイッチとしてもよい。
（６）実施例では、第２分岐路Ｒ３を、入球処理装置４８と別体に構成された球排出ユニット１８０に設けたが、該第２分岐路Ｒ３は、入球処理装置４８と一体に構成してもよい。
（７）導入検知センサ１０７、第１分岐検知センサ１４６および第２分岐検知センサ１９０の配設位置は、実施例で例示した間隔に限定されず、更に離間または近接して配設するようにしてもよい。なお、導入検知センサ１０７と第１分岐検知センサ１４６の配設間隔および該導入検知センサ１０７と第２分岐検知センサ１９０の配設間隔に応じて、判定時間としてタイマ部２２１で設定される入賞検知タイマの設定時間Ｔが変更される。
（８）球導入路Ｒ１における導入検知センサ１０７の上流側に、糸や紐等の線状体を切断可能な切断手段を配設するようにしてもよい。このような切断手段を配設することで、パチンコ球に連結した線状体を使用して該パチンコ球を操作する不正行為を阻止することが可能である。
（９）第１異常判定実行処理における第１の異常判定に関する基準カウント数は、実施例で例示した「５」に限定されるものではなく、入賞球検知センサの検知異常や不正行為を適切に判定し得れば「４」以下または「６」以上に設定してもよい。
（１０）第１異常判定実行処理は、実施例で例示した入球処理装置４８に限定されず、第１始動入賞装置４５、第２始動入賞装置４６および特別入賞装置４７においても、２つの検知センサを球排出路において離間して配設することで実施可能である。
（１１）メイン制御基板２１０の異常判定部２２２が実行する異常判定処理は、各異常判定毎に異なるようにしてもよい。すなわち、第１異常判定実行処理においては、第１の異常判定の判定結果が肯定判定となった場合に第１異常判定処理を実行させ、第２の異常判定の判定結果が肯定判定となった場合に第２異常判定処理を実行させると共に、第３の異常判定の判定結果が肯定判定となった場合に第３異常判定処理を実行させるようにしてもよい。また、第２異常判定実行処理においては、前記第１〜第３異常判定処理と異なる第４異常判定処理を実行させるようにしてもよい。そして、第１〜第４異常判定処理毎に報知手段における作動態様を異ならせたり、第１〜第４異常判定処理毎に異なる報知手段が作動するよう構成すれば、第１〜第４異常判定において何れの異常判定の判定結果が肯定判定となったかを確認することが可能となる。
（１２）実施例では、統括制御基板２１１と、表示制御基板２１２、ランプ制御基板２１４および音制御基板２１５とが、各々個別に構成されているが、表示制御基板２１２、ランプ制御基板２１４および音制御基板２１５が統括制御基板２１１と一体に構成されて、表示部１８ａの表示制御を行なう表示制御部、ランプ装置２１７の点灯制御を行なうランプ制御部、スピーカ２１８の制御を行なう音制御部が該統括制御基板２１１に設けられたものであってもよい。また、表示制御基板２１２が統括制御基板２１１としての役割をなすようにして、該表示制御基板２１２が、ランプ制御基板２１４や音制御基板２１５に制御信号を出力するよう構成してもよい。
（１３）実施例では、特定の入球口である第１始動入賞口４５ａおよび第２始動入賞口４６ａへのパチンコ球の入球を契機とする大当り抽選により特定の大当り図柄が選択された場合に、選択された特定の大当り遊技に応じた大当り遊技における特定のラウンドにおいて入球処理装置４８の可変入球口４８ａを開放させ、可変入球口４８ａに入ったパチンコ球が第１分岐検知センサ１４６で検知された場合には当該大当り遊技終了後に確変状態の付与を決定し、可変入球口４８ａに入ったパチンコ球が第２分岐検知センサ１９０で検知された場合には当該大当り遊技終了後に確変状態の付与を決定しない(非確変状態の付与を決定する)遊技態様のパチンコ機を例示したが、入球処理装置４８は別の遊技態様の入球処理手段として実施することも可能である。
例えば、入球処理装置４８は、球通過ゲート５２を通過して、普図当り抽選の結果に応じて第２始動入賞装置(特定の入球口)４６の開閉部材４６ｂが開放して第２始動入賞口４６ａへパチンコ球が入賞した場合に、該第２始動入賞口４６ａへのパチンコ球の入賞を契機として当該入球処理装置４８の可変入球口４８ａを開放させ、可変入球口４８ａに入ったパチンコ球が第１分岐検知センサ１４６で検知された場合に大当り遊技の付与を決定し、可変入球口４８ａに入ったパチンコ球が第２分岐検知センサ１９０で検知された場合には大当り遊技を付与しない遊技態様における入球処理手段として実施可能である。
（１４）実施例では、遊技機としてのパチンコ機を示したが、遊技機はパチンコ機に限られるものではなく、アレンジボール機等であってもよい。
【符号の説明】
【０１２６】
３０  遊技盤
３１  遊技領域
４５ａ  第１始動入賞口(特定の入球口)
４６ａ  第２始動入賞口(特定の入球口)
４８  入球処理装置(入球処理手段)
４８ａ  可変入球口
１０４  開閉部材
１０６  第１作動機構(第１作動手段)
１０７  導入検知センサ(導入検知手段)
１４４  規制部材
１４５  第２作動機構(第２作動手段)
１４６  第１分岐検知センサ(第１分岐検知手段)
１９０  第２分岐検知センサ(第２分岐検知手段)
２１０  メイン制御基板(制御手段、特典付与手段)
２００  振動検知センサ(振動検知手段)
２２２  異常判定部(異常判定手段)
Ｒ１  球導入路
Ｒ２  第１分岐路
Ｒ３  第２分岐路
Ｔ  判定時間
【図１】
2015047312.tif 000003
【図２】
2015047312.tif 000004
【図３】
2015047312.tif 000005
【図４】
2015047312.tif 000006
【図５】
2015047312.tif 000007
【図６】
2015047312.tif 000008
【図７】
2015047312.tif 000009
【図８】
2015047312.tif 000010
【図９】
2015047312.tif 000011
【図１０】
2015047312.tif 000012
【図１１】
2015047312.tif 000013
【図１２】
2015047312.tif 000014
【図１３】
2015047312.tif 000015
【図１４】
2015047312.tif 000016
【図１５】
2015047312.tif 000017
【図１６】
2015047312.tif 000018
【図１７】
2015047312.tif 000019
【図１８】
2015047312.tif 000020
【図１９】
2015047312.tif 000021
【図２０】
2015047312.tif 000022
【図２１】
2015047312.tif 000023
【図２２】
2015047312.tif 000024
【図２３】
2015047312.tif 000025
【図２４】
2015047312.tif 000026
【図２５】
2015047312.tif 000027
【図２６】
2015047312.tif 000028
【図２７】
2015047312.tif 000029